(57)【特許請求の範囲】
【請求項１】
ＮＲ無線通信ネットワークにおいて無線デバイスを動作させる方法（１５００）であって、前記方法は、
取得すること（Ｓ１５０５）であって、
第１の期間ｔ１中および第２の期間ｔ２中に１つまたは複数の同期信号（ＳＳ）の少なくとも一部を送信するためにネットワークノードにより使用されるヌメロロジーパラメータＮＵＭと、
前記第１の期間ｔ１中および前記第２の期間ｔ２中にそれぞれ送信される前記１つまたは複数のＳＳの周期パラメータＴ１およびＴ２と、
前記第１の期間ｔ１中および前記第２の期間ｔ２中にそれぞれ前記１つまたは複数のＳＳのための帯域幅パラメータＢＷ１およびＢＷ２ならびに帯域幅中心パラメータＢＷＣ１およびＢＷＣ２と、
を取得することと、
前記第１の期間ｔ１中および前記第２の期間ｔ２中に前記１つまたは複数のＳＳの少なくとも一部を送信するように動作可能な前記ネットワークノードの１つまたは複数のアンテナ構成特性Ｃを決定すること（Ｓ１５１０）と、
前記のＮＵＭ、Ｔ１、Ｔ２、ＢＷ１、ＢＷＣ１、ＢＷ２、およびＢＷＣ２パラメータと前記１つまたは複数のアンテナ構成特性Ｃとに基づいて、前記１つまたは複数のＳＳの測定に関連した時間Ｔｓｓを決定することと（Ｓ１５１５）、を有する方法。
【請求項２】
請求項１に記載の方法（１５００）であって、前記ＮＵＭ、Ｔ１、Ｔ２、ＢＷ１、ＢＷＣ１、ＢＷ２、およびＢＷＣ２パラメータのうちの１つまたは複数が、
前記１つまたは複数のＳＳのキャリア周波数、
前記１つまたは複数のＳＳの周波数帯域、
前記無線デバイスが動作しているセルのタイプ、
前記１つまたは複数のＳＳの時間単位インデックス番号、
前記ネットワークノードのために構成されたシステム帯域幅、
前記無線デバイスのために構成されたデュープレックスモード、および、
前記ネットワークノードのアクティビティ状態
のうちの１つまたは複数に基づいて得られる、方法。
【請求項３】
請求項１または２に記載の方法（１５００）であって、前記ＮＵＭのパラメータは、サブキャリア間隔パラメータ、シンボル長パラメータ、スロット長パラメータ、ＣＰ長パラメータ、リソースブロック当たりのサブキャリアの数、所与の帯域幅を有するリソースブロックの数、またはミニスロット長パラメータである、方法。
【請求項４】
請求項１ないし３のいずれか一項に記載の方法（１５００）であって、前記１つまたは複数のアンテナ構成特性Ｃは、
前記無線デバイスのアクティビティ状態、
期間ｔ１中に前記１つまたは複数のＳＳを送信するために使用されるビームのセットが期間ｔ２中に前記１つまたは複数のＳＳを送信するために使用される別のビームのセットと実質的に異なっているかどうか、
期間ｔ１中に前記１つまたは複数のＳＳを送信するために使用される測定ビームのセットが期間ｔ２中に使用される別の測定ビームのセットと実質的に異なっているかどうか、
期間ｔ１と期間ｔ２とのうちの一つまたは両方の期間中に、前記ネットワークノードのアンテナ構成がビームフォーミングされるかどうか、
期間ｔ１と期間ｔ２との両方の期間中に、前記ネットワークノードのアンテナ構成はビームフォーミングされないが、期間ｔ１中の前記ネットワークノードのアンテナ構成が期間ｔ２中の前記ネットワークノードのアンテナ構成と異なっているかどうか、
期間ｔ１と期間ｔ２との両方の期間中に、前記ネットワークノードのアンテナ構成はビームフォーミングされるが、期間ｔ１中の前記ネットワークノードのアンテナ構成が期間ｔ２中の前記ネットワークノードのアンテナ構成と異なっているかどうか、
期間ｔ１中の前記ネットワークノードのアンテナ構成が期間ｔ２中の前記ネットワークノードのアンテナ構成と同じであり、期間ｔ１中に前記１つまたは複数のＳＳがビームフォーミングされたアンテナとビームフォーミングされないアンテナとの両方から送信されるかどうか、
期間ｔ１中の前記ネットワークノードのアンテナ構成が期間ｔ２中の前記ネットワークノードのアンテナ構成と同じであり、期間ｔ２中に前記１つまたは複数のＳＳがビームフォーミングされたアンテナとビームフォーミングされないアンテナとの両方から送信されるかどうか、
期間ｔ１中に前記１つまたは複数のＳＳを送信するために使用される前記ビームのセットにおける少なくとも１つの前記ビームの構成が、期間ｔ２中に前記１つまたは複数のＳＳを送信するために使用される前記ビームのセットにおける少なくとも１つの前記ビームの構成と実質的に異なっているかどうか、
期間ｔ１中に前記１つまたは複数のＳＳを送信するために使用される前記ビームのセットにおけるすべての前記ビームの構成が、期間ｔ２中に前記１つまたは複数のＳＳを送信するために使用される前記ビームのセットにおけるすべての前記ビームの構成と実質的に異なっているかどうか、
期間ｔ１中に、前記無線デバイスをサービングしているセルにおいて、前記１つまたは複数のＳＳを送信するために使用される前記ビームのセットにおけるすべての前記ビームの構成が、期間ｔ２中に、前記セルにおいて、前記１つまたは複数のＳＳを送信するために使用される前記ビームのセットにおけるすべての前記ビームの構成と実質的に異なっているかどうか、
期間ｔ１中に、前記無線デバイスによって受信される、前記１つまたは複数のＳＳを送信するために使用される前記ビームのセットにおけるすべての前記ビームの構成が、期間ｔ２中に、前記無線デバイスによって受信される、前記１つまたは複数のＳＳを送信するために使用される前記ビームのセットにおけるすべての前記ビームの構成と実質的に異なっているかどうか、
前記期間ｔ１およびｔ２に対応する特定のサブフレーム、
のうちの１つまたは複数のインジケーションに基づいて決定される、方法。
【請求項５】
請求項４に記載の方法（１５００）であって、前記無線デバイスは、前記期間ｔ１およびｔ２に対応する前記特定のサブフレームに基づいて、前記１つまたは複数のＳＳが、ビームフォーミングされたアンテナを使用して送信されるか、またはビームフォーミングされないアンテナを使用して送信されるかを決定する、方法。
【請求項６】
請求項５に記載の方法（１５００）であって、前記特定のサブフレームは、前記期間ｔ１およびｔ２に対応するシンボルインデックスに基づいて決定される、方法。
【請求項７】
請求項１ないし６のいずれか一項に記載の方法（１５００）であって、Ｔｓｓは、
Ｔ１とＴ２の最大値関数、
ＢＷ１とＢＷ２の最小値関数、
Ｔ２に対するＴ１の比、
ＢＷ２に対するＢＷ１の比、
Ｔ１とＢＷ１の積およびＴ２とＢＷ２の積、
Ｎ１とＢＷ１の積およびＮ２とＢＷ２の積（Ｎ１とＮ２はそれぞれＢＷ１とＢＷ２に対応するサンプル長パラメータ）、
Ｎ１とＮＢＷ１の積およびＮ２とＮＢＷ２の積（ＮＢＷ１とＮＢＷ２はそれぞれＢＷ１とＢＷ２に対応する周波数領域でのサンプル数パラメータ）
のうちの１つに基づいて決定される、方法。
【請求項８】
請求項１ないし７のいずれか一項に記載の方法（１５００）であって、前記決定された時間Ｔｓｓを、
前記時間Ｔｓｓの間に前記測定のために前記１つまたは複数のＳＳを受信するように前記無線デバイスを構成すること、
前記決定された時間Ｔｓｓの間に受信されたサンプルを結合して測定結果にすること、
前記時間Ｔｓｓの間に受信された前記１つまたは複数のＳＳに基づきセルＩＤを決定すること、
前記時間Ｔｓｓの間に同期プロシージャを完了すること、
前記時間Ｔｓｓの間に前記測定を完了するかまたは前記測定の結果を取得することを完了すること、
前記時間Ｔｓｓの間に前記測定の結果にタイムスタンプを付与すること、
前記時間Ｔｓｓに基づき適応的に前記１つまたは複数のＳＳのサンプルについてフィルタリングを実行すること、
前記時間Ｔｓｓの間に前記無線デバイスの受信機のＲＦパラメータを変更することを控えること、
前記時間Ｔｓｓの間に前記１つまたは複数のＳＳを受信するために同じセットの受信機ビームを使用するように前記受信機を構成すること、
前記時間Ｔｓｓに基づき適応的にレイヤ１および／またはレイヤ３のフィルタリングを構成すること、
前記時間Ｔｓｓに基づいて前記１つまたは複数のＳＳの測定に応じてＵＬ送信を送信するための、前記１つまたは複数のＳＳの測定の時間に対する時間量を決定すること、
前記時間Ｔｓｓに基づいてＵＬ送信タイミングを取得するために必要な時間量を決定すること、
他のノードへの前記時間Ｔｓｓをインジケートすること、および、
将来の使用のために前記時間Ｔｓｓを記憶すること、
のうちの１つ以上の動作タスクに使用すること（Ｓ１５２０）をさらに有する、方法。
【請求項９】
無線通信システム（１００）のための無線デバイス（２００Ａ）であって、
少なくとも１つのトランシーバ（２１５）と、
少なくとも１つのトランシーバに動作可能に結合された少なくとも１つのプロセッサ（２０５）と、
前記少なくとも１つのプロセッサによって実行可能な命令を含むメモリ（２１０）と、を有し、それによって、前記無線デバイス（２００Ａ）が、請求項１ないし８のいずれか一項に記載の方法（１５００）を実行するように動作する、無線デバイス。
【請求項１０】
無線デバイス（１０５）の少なくとも１つのプロセッサによって実行されると、前記無線デバイス（１０５）に、請求項１ないし８のいずれか一項に記載の方法（１５００）を実行させる命令を有する、コンピュータプログラム。
【発明の詳細な説明】
【技術分野】
【０００１】
・関連出願
本出願は、その全体が基準により本明細書に組み込まれる、２０１７年２月１３日に出願された「ＨＡＲＱ  Ｒｅｔｒａｎｓｍｉｓｓｉｏｎ  ｆｏｒ  Ｐｕｎｃｔｕｒｅｄ  ＥＭＢＢ」という名称の米国特許出願第６２／４５８，４８５号の優先権および利益を主張する。
【０００２】
・技術分野
開示される主題は、概して、電気通信に関する。特定の実施形態は、より詳細には、無線通信ネットワークにおける同期のための信号の構成などの概念に関する。
【背景技術】
【０００３】
Ｉ．  ＮＲアーキテクチャ
ＮＲ  （別名、５Ｇまたは次世代）アーキテクチャは、３ＧＰＰリサーチアクティビティで論じられており、現在のネットワークアーキテクチャの概念が図５に示されており、ｅＮＢは、ＬＴＥ  ｅＮｏｄｅＢを示し、ｇＮＢは、ＮＲ  ＢＳ  （１つのＮＲ  ＢＳは、１つまたは複数の送信／受信ポイントに対応することができる）を示し、ノード間の線は、３ＧＰＰにおいて議論中の対応するインタフェースを示している。さらに、図６は、３ＧＰＰリサーチアクティビティにおいて議論されるＮＲ  ＢＳを有する４つの異なる展開シナリオを示す。
【０００４】
ＩＩ．  ＮＲにおけるマルチアンテナ方式
ＮＲのためのマルチアンテナ方式は、現在、３ＧＰＰ研究アクティビティにおいて議論されている。ＮＲの場合、１００ＧＨｚまでの周波数範囲が考慮される。６ＧＨｚを超える高周波無線通信は、著しい経路損失および侵入損失を被ることが知られている。この問題に対処するための１つの解決策は、高いビームフォーミング利得を達成するために大規模アンテナアレイを配備することであり、これは、高周波信号の波長が短いために妥当な解決策である。したがって、ＮＲのためのＭＩＭＯ方式は、マッシブＭＩＭＯとも呼ばれる。約３０／７０ＧＨｚにおいて、２５６個までのＴｘおよびＲｘアンテナ素子が想定される。７０ＧＨｚで１０２４個のＴｘをサポートするための拡張が合意され、３０ＧＨｚについて議論中である。６ＧＨｚ未満の通信において、アンテナ素子の数を増やすことによって、より多くのビームフォーミングおよび多重化利得を得ることもまた、トレンドになっている。
【０００５】
マッシブＭＩＭＯにおいて、ビームフォーミングに対する３つのアプローチ、すなわちアナログ、デジタル、およびハイブリッド（これら２つの組み合わせ）が議論されている。アナログビームフォーミングは、ＮＲシナリオにおける高いパス損失を補償し、一方、デジタルプリコーディングは、妥当なカバレッジを達成するために必要な６ＧＨｚ未満のＭＩＭＯに類似した追加の性能利得を提供する。アナログビームフォーミングの実装の複雑さは、多くの実装では単純な位相シフタに依存するので、デジタルプリコーディングよりも著しく少ないが、欠点は、マルチ方向の柔軟性（すなわち、単一のビームが一度に形成され、ビームが時間領域で切り替えられる）、広帯域送信のみ（すなわち、サブバンドで送信することができない）、アナログエリアでの不可避の不正確さなどにおけるその制限である。ＬＴＥで今日使用されているデジタルビームフォーミング（デジタルドメインからＩＦドメインへとＩＦドメインからデジタルドメインへの高価な変換器を必要とする）は、データレートおよび多重化能力に関して最良の性能を提供する（一度に複数のサブバンドにわたる複数のビームを形成することができる）が、同時に、電力消費、統合、およびコストに関して困難であり、さらに、コストが急速に増加してしまうにも拘らず、送信／受信ユニットの数に対して利得が線形に増加しない。したがって、コスト効率のよいアナログビームフォーミングおよび高収容量デジタルビームフォーミングから利益を得るために、ハイブリッドビームフォーミングをサポートすることは、ＮＲにとって望ましい。ハイブリッドビームフォーミングの例示的な図が図７に示されており、ビームフォーミングは、送信ビームおよび／または受信ビーム、ネットワーク側、またはＵＥ側で行うことができる。
【０００６】
サブアレイのアナログビームは、各ＯＦＤＭシンボル上で単一の方向に向けられることができ、したがって、サブアレイの数は、ビーム方向の数および各ＯＦＤＭシンボル上の対応するカバレッジを決定する。しかしながら、特に個々のビーム幅が狭い場合、サービスエリア全体をカバーするビームの数は、典型的には、サブアレイの数よりも多い。したがって、サービングエリア全体をカバーするために、時間領域において異なるようにステアリングされた狭いビームによる複数の送信も必要とされる可能性が高い。この目的のために複数の狭いカバレッジビームを提供することは、「ビームスイーピング」と呼ばれている。アナログおよびハイブリッドビームフォーミングの場合、ビームスイーピング技術は、ＮＲにおける基本的なカバレッジを提供する。この目的のために、異なるようにステアリングされたビームがサブアレイを介して送信可能である複数のＯＦＤＭシンボルが割り当てられ、周期的に送信可能となる。図８は、時間軸における一連のインスタンス（時点）において、２つのサブアレイ（影付きビームによって表される）上でスイープされるビームを図示する。図９は、時間軸における一連のインスタンスにおいて３つのサブアレイ上でスイーピングされるビームを示す。
【０００７】
ＩＩＩ．  ヌメロロジー
ＬＴＥの場合、「ヌメロロジー」という用語は、例えば、フレーム持続時間、サブフレームまたはＴＴＩ持続時間、スロット持続時間、サブキャリア間隔、サイクリックプレフィックス長、ＲＢ当たりのサブキャリアの数、帯域幅内のＲＢの数（異なるヌメロロジーは、同じ帯域幅内の異なる数のＲＢをもたらし得る）、特定の時間単位、例えば、１ｍｓサブフレーム内のシンボルの数、シンボル長などの要素を含む。
【０００８】
異なる無線アクセス技術におけるヌメロロジー要素の正確な値は、典型的には、性能目標によって決まるものであり、例えば、性能要件は、使用可能なサブキャリア間隔サイズに制約を課し、例えば、一方、スペクトルのゆっくりとした減衰（フィルタリングの複雑さおよびガードバンドサイズに影響を与える）は所与のキャリア周波数に対してより小さいサブキャリア帯域幅を好むものである一方で、最大許容位相雑音は最小サブキャリア帯域幅を設定し、オーバーヘッドを低く維持するために、必要なサイクリックプレフィックスは所与のキャリア周波数に対して最大サブキャリア帯域幅を設定する。
【０００９】
しかしながら、既存のＲＡＴにおいてこれまで使用されてきたヌメロロジーは、かなり静的であり、典型的には、例えば、周波数帯域、サービスタイプ（例えば、ＭＢＭＳ）などがＲＡＴに対して１対１でマッピングされているため、ＵＥがそれを自明に導き出すことができる。
【００１０】
ＯＦＤＭベースのＬＴＥダウンリンクにおいて、サブキャリア間隔は、通常のＣＰでは１５ｋＨｚであり、拡張ＣＰでは１５ｋＨｚおよび７．５ｋＨｚ  （すなわち、低減されたキャリア間隔）であり、後者は、ＭＢＭＳ専用キャリアに対してのみ許可される。
【００１１】
複数のヌメロロジーのサポートは、ＮＲについて合意されており、ＮＲは、同じまたは異なるＵＥについて周波数および／または時間領域で多重化され得る。
【００１２】
ＯＦＤＭベースのＮＲにおいて、一般的な動作のために複数のヌメロロジーがサポートされている。スケーリングアプローチ（スケーリングファクタ２＾ｎ、ｎ∈Ｎ＿０に基づく）は、ＮＲのためのサブキャリア間隔候補を導出するために考慮される。現在議論されているサブキャリア帯域幅の値は、とりわけ、３．７５ｋＨｚ、１５ｋＨｚ、３０ｋＨｚ、６０ｋＨｚを含む。次に、ヌメロロジー特有のスロット持続時間は、サブキャリア間隔に基づいてｍｓ単位で決定することができ、（２ｍ＊１５）ｋＨｚのサブキャリア間隔は、１５ｋＨｚヌメロロジーで０．５ｍｓであるスロットに対して正確に１／２ｍ  ０．５ｍｓを与える。
【００１３】
少なくとも４８０ｋＨｚまでのサブキャリア間隔が、現在、ＮＲについて議論されている（議論された最も高い値はミリ波ベースの技術に対応する）。また、同じＮＲキャリア帯域幅内で異なるヌメロロジーを多重化することがサポートされ、ＦＤＭおよび／またはＴＤＭ多重化を考慮することができることも合意された。さらに、異なるヌメロロジーを使用する複数の周波数／時間部分が、同期信号を共有し、同期信号は、信号自体と、同期信号を送信するために使用される時間−周波数リソースと、を参照することが合意された。さらに別の合意は、非常に低いサブキャリア間隔が非常に高いキャリア周波数では使用されないと仮定されているが、使用されるヌメロロジーを周波数帯域とは無関係に選択することができることである。図１０において、いくつかの候補キャリア間隔が、周波数およびセル範囲に関して示されている。表１において、いくつかの候補キャリア間隔についての対応する持続時間についてのさらなる詳細が提供される。
【００１４】
【表１】
0006816295.tif 000002
【００１５】
ＩＶ．  ＬＴＥにおけるセル識別
セルサーチは、セルラーネットワークにおける基本的なＵＥ動作の１つである。セルを見つけるために、ＵＥは、無線信号を受信し、ＵＥにとって既知の特定のシグネチャを有する信号をサーチする。新しいセルを識別するために、ＵＥは、セルを識別し、次いで、オプションとして、または要求に応じて、グローバルに一意のＣＧＩであるセルグローバル識別情報（ＣＧＩ）を取得しなければならない。ＬＴＥにおいて、セル識別は、セルの検出と、さらに、信号強度または信号品質測定（別名検証）を実行することと、を含み、測定値は、ＲＳＲＰまたはＲＳＲＱのいずれかりありうる。
【００１６】
セル検出は、同期信号（ＳＳ）、より具体的には、一次同期信号（ＰＳＳ）および二次同期信号（ＳＳＳ）に基づいて実行される。５０４個の固有の物理層セル識別情報（ＰＣＩ）がある。物理層セル識別情報は、１６８個の固有の物理層セル識別情報グループにグループ化され、各グループは、３つの固有の識別情報を含む。グループ化は、各物理層セル識別情報が唯一の物理層セル識別情報グループの一部であるようなものである。したがって、物理層セル識別情報は、物理層セル識別情報グループを表す０〜１６７の範囲の数と、物理層セル識別情報グループ内の物理層識別情報を表す０〜２の範囲の数とによって一意に定義される。セル識別情報グループは、既知のＳＳＳシーケンスに基づいて決定され、グループ内の識別情報は、既知のＰＳＳシーケンスに基づいて決定される。ＰＳＳおよびＳＳＳのすべての一意の組合せは、５０４個の一意のＰＣＩを与え、これは、１つの周波数上および／または複数の周波数にわたって、同じＰＬＭＮネットワークにおいて再使用され得る。次いで、セルのＰＣＩを使用して、他の信号（例えば、セル特有の基準信号、ＣＲＳ、測位基準信号、ＰＲＳなど）のシーケンスおよび時間−周波数グリッドにおけるその割り当てを決定することができる。同期信号は、図１１および図１２に示されるように、割り当てられた帯域幅の中心に６２個のリソースエレメントを占有する。同期ネットワークにおいて、１つのセルからのＰＳＳ／ＳＳＳは、別のセルからのＰＳＳ／ＳＳＳとオーバーラップ／干渉するが、これは、これらの信号上で常に再使用率−１または１００％負荷に対応する。
【００１７】
ＲＳＲＰおよびＲＳＲＱ測定は、セル特有基準信号（ＣＲＳ）に対して行われる。ＣＲＳ信号は、図１３に示すように、時間−周波数グリッドに割り当てられ、異なるセルは、６つの異なる周波数シフトを使用することができる。実際には、１つのＴＸアンテナポートから送信されたＣＲＳのための再使用率−６のパターンと、２つのＴＸアンテナポートから送信されたＣＲＳのための再使用率−３のパターンとがある。低負荷において、干渉は、ＣＲＳでの時間測定に有利である。しかしながら、高負荷において、状況はＰＳＳ／ＳＳＳと同様になる。しかし、実際のネットワークは、ダウンリンクにおいて７０％を超える負荷で動作することはめったになく、したがって、干渉状況は、ＰＳＳ／ＳＳＳよりもＣＲＳの方が典型的に良好である。干渉状態は、干渉をもたらす侵害側セルにおいてＡＢＳ（低減電力または低アクティビティサブフレーム）を設定することによって、ＣＲＳ上でさらに改善され得る。
【００１８】
ＣＧＩは、ブロードキャストチャネルを介して送信されるシステム情報を読み取ることによって取得され得る。ＵＥは、ＵＥによって識別されたセルのＣＧＩを報告するようにｅＮｏｄｅＢによって要求されてもよく、この要求は、ｅＮｏｄｅＢによってＵＥから受信された識別されたセルに関する測定報告によってトリガされてもよい。
【００１９】
セル識別は、様々な方法で実施可能である。例えば、セル識別は、ＰＣｅｌｌの周波数（イントラ周波数）、キャリアアグリゲーションを有するサービングセルでもあるＳＣｅｌｌの周波数（キャリアアグリゲーションを伴うインター周波数）、サービングセル周波数とは異なる周波数（インター周波数）、または異なるＲＡＴ（インターＲＡＴ）で実行されてもよい。複数の周波数が異なる周波数バンドに属する場合、インター周波数およびインターＲＡＴはインターバンドであってもよい。
【００２０】
現在のセル識別要件は、その時間内にＵＥがセル識別を実行し、対応するイベントをネットワークに報告すべきである、ある時間Ｔを指定する。所要時間Ｔは、セルの検出に要する時間と、測定に要する時間Ｔ１との両方を含む。現在の規格は、Ｔ期間とＴ１期間の両方を指定する。さらに、ＵＥは、通常、必要とされる期間内に、Ｎ個（例えば、イントラ周波数の場合、Ｎ＝８）の識別されたセルを報告することを必要とされる。セル識別の要件は、典型的には、イントラ周波数、インター周波数、およびインターＲＡＴで異なる（例えば、測定期間の長さ、セルの数、周波数の数などにおいて）。
【００２１】
非ＣＡ（キャリアアグリゲーションを実行していない）のＵＥは、通常、インター周波数またはインターＲＡＴでセル識別を実行するために測定ギャップを必要とする。同じことが、非設定のまたは非アクティブ化されたキャリア上でセル識別を実行するときに、ＣＡ（キャリアアグリゲーションを実行する）のＵＥに適用される。
【発明の概要】
【００２２】
以下の実施例などの開示される主題の特定の実施形態は、従来の技術およびテクノロジーに関連する欠点を念頭に提示される。ＬＴＥネットワークにおいて、ＳＳ帯域幅、ＳＳ中心周波数、ＳＳ周期、ＳＳヌメロロジー、およびＳＳのための送信アンテナは、常に同じであり、標準規格では固定されている。しかし、ＵＥがＮＲネットワークにおいて測定を実行しているときに、測定されている送信信号の様々なアスペクトが変更され得ることが想定されている。例えば、ＵＥによって測定される送信信号は、測定手順の間に、その帯域幅ＢＷを（例えば、より狭くまたはより広く）変更させることができ、および／または、周波数をシフトさせることができる（例えば、ＢＷの中心周波数を変更することができる）。さらに、測定を実行するためにＵＥによって受信されるべき信号／チャネルのための送信ビームの設定が変更され得る。さらに、測定を実行するためにＵＥによって受信されるべき信号／チャネルが、ビームフォーミングされた、およびビームフォーミングされていない方法で、時間的に相互変更可能に送信され得る。また、測定対象のＳＳの周期が変更される場合がある。
【００２３】
上記の課題のいずれか１つまたは組み合わせと共に、測定性能が低下し得るか、または対応する手順（例えば、同期または検出／識別）が失敗し得る（例えば、セルＩＤが不正確に決定される）か、または不正確に決定されたチャネル特性（例えば、周波数または時間シフト）および不適切な受信機設定またはチューニング（周波数合わせ）が生じ得る。受信機が不正確に周波数合わせされる場合、誤差は、他のＵＥ測定、データ送信／受信、および他の手順（例えば、ＵＥ送信タイミングを決定すること）にさらに伝播し得る。
【００２４】
開示される主題の特定の実施形態において、ｔ１およびｔ２で受信されるＳＳまたはＳＳブロックの測定（例えば、測定時間、報告時間など）に関連する時間Ｔｓｓは、異なるパラメータの組合せに基づいて決定される。パラメータは、無線デバイスによって直接的または間接的に取得されてもよく、時間ｔ１およびｔ２における１つまたは複数の同期信号（ＳＳ）またはＳＳブロックのヌメロロジーＮＵＭ、それぞれ時間ｔ１およびｔ２に対するＳＳまたはＳＳブロックの周期Ｔ１およびＴ２、それぞれ時間ｔ１およびｔ２におけるＳＳまたはＳＳブロックに対する帯域幅ＢＷ１およびＢＷ２ならびに帯域幅中心ＢＷＣ１およびＢＷＣ２、および／または時間ｔ１およびｔ２における無線アクセスノードアンテナ構成についての１つまたは複数の特性Ｃを含んでもよい。
【００２５】
開示された実施形態のいくつかの実施形態は、無線デバイス同期、セルおよびビーム識別のための信号の構成におけるより大きな柔軟性、ならびに柔軟なＳＳおよびＳＳブロック構成に対する無線デバイスの挙動および手順の改善された適応など、従来の技法およびテクノロジーと比較して潜在的な利益を提供することができる。
【００２６】
より詳細には、本明細書の実施形態は、ＮＲ無線通信ネットワークにおいて無線デバイスを動作させる方法を含む。この方法は、時間ｔ１およびｔ２において１つまたは複数の同期信号（ＳＳ）またはＳＳブロックのヌメロロジーＮＵＭを取得することと、それぞれ時間ｔ１およびｔ２においてＳＳまたはＳＳブロックの周期を取得することと、それぞれ時間ｔ１およびｔ２においてＳＳまたはＳＳブロックの帯域幅ＢＷ１およびＢＷ２ならびに帯域幅中心ＢＷＣ１およびＢＷＣ２を取得することと、時間ｔ１およびｔ２において無線アクセスノードアンテナ構成についての１つまたは複数の特性Ｃを決定することと、ＮＵＭ、Ｔ１、Ｔ２、ＢＷ１、ＢＷＣ１、ＢＷ２、ＢＷＣ２、およびＣに基づいて、ｔ１およびｔ２において受信されたＳＳまたはＳＳブロックの測定（たとえば、測定時間、報告時間など）に関連する時間Ｔｓｓを決定することと、を含む。特定の実施形態において、無線デバイスを動作させる方法は、同期を必要とする無線通信ネットワークの他の無線ノードにおいて実施されてもよい。
【００２７】
いくつかの実施形態において、ＮＵＭ、Ｔ１、Ｔ２、ＢＷ１、ＢＷＣ１、ＢＷ２、およびＢＷＣ２パラメータのうちの１つまたは複数は、事前定義された値、事前定義された規則、およびネットワークノードから受信されたメッセージのうちの少なくとも１つに基づいて取得される。さらに、１つまたは複数のＳＳは、１つまたは複数の対応するＳＳブロックに含まれてもよく、ＮＵＭ、Ｔ１、Ｔ２、ＢＷ１、ＢＷＣ１、ＢＷ２、およびＢＷＣ２パラメータは、１つまたは複数のＳＳブロックのタイミングアスペクトを定義する。
【００２８】
いくつかの実施形態において、ＮＵＭパラメータは、サブキャリア間隔パラメータ、シンボル長パラメータ、スロット長パラメータ、ＣＰ長パラメータ、リソースブロック当たりのサブキャリアの数、所与の帯域幅を有するリソースブロックの数、またはミニスロット長パラメータである。
【００２９】
いくつかの実施形態において、ＢＷ２は、ＢＷ１、Ｎ１、およびＮ２の関数としてＢＷ２を定義する規則から決定され、ここで、Ｎ１およびＮ２は、それぞれ、ＢＷ１およびＢＷ２に対応するサンプル長パラメータである。
【００３０】
いくつかの実施形態において、時間Ｔｓｓの間に１つまたは複数のＳＳを受信するように無線デバイスを構成すること、決定された時間Ｔｓｓにわたって受信されたサンプルを測定結果に組み合わせること、時間Ｔｓｓの間に受信された１つまたは複数のＳＳに基づいてセルＩＤを決定すること、時間Ｔｓｓの間に受信された１つまたは複数のＳＳを決定すること、時間Ｔｓｓの間に同期手順を完了すること、時間Ｔｓｓの間に測定の結果を取得すること、時間Ｔｓｓの間に測定の結果をタイムスタンプすること、時間Ｔｓｓの間に１つまたは複数のＳＳのＲＦパラメータを変更することを控えること、時間Ｔｓｓの間に１つまたは複数のＳＳを受信するために受信機ビームの同じセットを使用するように受信機を構成すること、時間Ｔｓｓに基づいて適応的にレイヤ１および／またはレイヤ３フィルタリングを構成すること、時間Ｔｓｓに基づいて、１つまたは複数のＳＳの測定に応答してＵＬ送信を送信するため一つまたは複数のＳＳの測定の時間に比例した時間量を決定すること、時間Ｔｓｓに基づいて、ＵＬ送信タイミングを取得するのに必要な時間量を決定することと、別のノードへの時間Ｔｓｓをインジケートすること、将来の使用のために時間Ｔｓｓを格納すること、が実行される。
【００３１】
いくつかの実施形態において、Ｔｓｓは、１つまたは複数のＳＳの測定値を取得するための測定時間、または１つまたは複数のＳＳの測定値を報告するための報告時間である。
【００３２】
いくつかの実施形態において、無線デバイスは、期間ｔ１およびｔ２に対応する特定のサブフレームに基づいて、１つまたは複数のＳＳが、ビームフォーミングされたアンテナを使用して送信されるか、またはビームフォーミングされていないアンテナを使用して送信されるかを決定する。さらに、特定のサブフレームは、期間ｔ１およびｔ２に対応するシンボルインデックスに基づいて決定され得る。
【００３３】
本明細書の実施形態はまた、ＮＲ無線通信ネットワークで使用するように構成された、ネットワークノードなどのネットワーク機器によって実行される方法を含む。この方法は、第１の期間ｔ１の間に、第１のセルＩＤに基づいて１つまたは複数のビームフォーミングされていないＳＳの少なくとも一部を送信することと、第２の期間ｔ２の間に、第１のセルＩＤに基づいて１つまたは複数のビームフォーミングされたＳＳの少なくとも一部を送信することとを含む。この方法は、１つまたは複数のビームフォーミングされていないＳＳまたは１つまたは複数のビームフォーミングされたＳＳの、無線デバイスによって行われた測定に関連してネットワークノードが使用するための時間Ｔｓｓを決定することをさらに含む。
【００３４】
いくつかの実施形態において、時間Ｔｓｓはまた、ネットワークノードによって取得された能力情報に基づいて決定されてもよく、能力情報は、１つまたは複数のビームフォーミングされていないＳＳおよび１つまたは複数のビームフォーミングされたＳＳを受信するための無線デバイスの能力を特徴付ける。
【００３５】
いくつかの実施形態において、期間ｔ１は、ビームフォーミングされていない信号の送信のために事前に定義されたリソースＲ１の第１のセットに対応する。
【００３６】
いくつかの実施形態において、リソースＲ１の第１のセットは、ＩＤＬＥ状態の無線デバイスと共に使用するためにさらに事前定義される。
【００３７】
いくつかの実施形態において、期間ｔ１を含むリソースＲ１の第１のセットは、期間ｔ２を含むリソースＲ２の第２のセットとオーバーラップしない。
【００３８】
いくつかの実施形態において、期間ｔ１を含むリソースの第１のセットＲ１は、期間ｔ２を含むリソースの第２のセットＲ２と少なくとも部分的にオーバーラップし、１つまたは複数のビームフォーミングされていないＳＳの少なくとも一部を送信するために１つまたは複数のリソースの部分的にオーバーラップする設定のために使用されるアンテナ構成は、１つまたは複数のビームフォーミングされたＳＳの少なくとも一部を送信するために１つまたは複数のリソースの部分的にオーバーラップする設定のために使用されるアンテナ構成と同じである。
【００３９】
いくつかの実施形態において、ネットワークノードによって実行される方法は、無線デバイスによって行われた測定の結果を無線デバイスから受信することをさらに含み、時間Ｔｓｓは、結果を受信するための待機時間を構成するために使用される。
【００４０】
本明細書の実施形態はまた、対応するコンピュータプログラム、キャリア、およびコンピュータプログラム製品を含む。
【図面の簡単な説明】
【００４１】
図面は、開示された主題の選択された実施形態を示す。図面において、同様の参照符号は、同様の特徴を示す。
【図１】は、開示された主題の実施形態による通信システムを示す。
【図２Ａ】は、開示された主題の実施形態による無線通信デバイスを示す。
【図２Ｂ】は、開示された主題の別の実施形態による無線通信デバイスを示す。
【図３Ａ】は、開示された主題の実施形態による無線アクセスノードを示す。
【図３Ｂ】は、開示された主題の別の実施形態による無線アクセスノードを示す。
【図４】は、開示された主題のさらに別の実施形態による無線アクセスノードを示す。
【図５】は、現在のＮＲネットワークアーキテクチャを示す。
【図６】は、様々なＮＲ展開例を示す。
【図７】は、ハイブリッドビームフォーミングの一例を示す。
【図８】は、２つのサブアレイ上でスイーピングする転送ビームを示す。
【図９】は、３つのサブアレイ上でスイーピングする転送ビームを示す。
【図１０】は、ＮＲのためのサブキャリア間隔候補構成の例を示す。
【図１１】は、ＬＴＥフォーマットにおける同期信号の位置を示す。
【図１２】は、同期信号コンテンツおよびリソースエレメントマッピングを示す。
【図１３】は、セル特有基準信号リソースエレメントマッピングを示す。
【図１４】は、ＳＳブロック、ＳＳバースト、ＳＳバーストセット／シリーズの構成例を示す図である。
【図１５】は、無線デバイスの動作の例示的な方法のフローチャートを示す。
【図１６】は、ネットワークノードの例示的な動作方法のフローチャートを示す。
【発明を実施するための形態】
【００４２】
以下の説明は、開示された主題の様々な実施形態を提示する。これらの実施形態は、教示例として提示され、開示された主題の範囲を限定するものとして解釈されるべきではない。例えば、説明された実施形態の特定の詳細は、開示された主題の範囲から逸脱することなく、修正、省略、または拡張されてもよい。
【００４３】
Ａ．用語
無線ノード：本明細書で使用される場合、「無線ノード」は、無線アクセスノードまたは無線デバイスのいずれかである。
【００４４】
無線アクセスノード：本明細書で使用される場合、「無線アクセスノード」は、信号を無線で送信および／または受信するように動作する無線通信ネットワークの無線アクセスネットワーク内の任意のノードである。無線アクセスノードのいくつかの例は、基地局（例えば、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）ロングタームエボリューション（ＬＴＥ）ネットワークにおける拡張または発展型ノードＢ  （ｅＮＢ）、またはＮＲネットワークにおけるｇＮＢ）、高電力またはマクロ基地局、低電力基地局（例えば、マイクロ基地局、ピコ基地局、ホームｅＮＢなど）、およびリレーノードを含むが、これらに限定されない。
【００４５】
コアネットワークノード：本明細書で使用する場合、「コアネットワークノード」は、コアネットワーク（ＣＮ）内の任意のタイプのノードである。コアネットワークノードのいくつかの例は、例えば、モビリティ管理エンティティ（ＭＭＥ）、パケットデータネットワーク（ＰＤＮ）ゲートウェイ（Ｐ−ＧＷ）、サービス機能公開機能（ＳＣＥＦ）などを含む。
【００４６】
無線デバイス：本明細書で使用される場合、「無線デバイス」は、無線アクセスノード（１つまたは複数）に信号を無線で送信および／または受信することによって、無線通信ネットワークにアクセスする（すなわち、無線通信ネットワークによってサービスされる）任意のタイプの装置である。無線デバイスのいくつかの例は、３ＧＰＰネットワークにおけるユーザ機器装置（ＵＥ）およびマシンタイプ通信（ＭＴＣ）装置を含むが、これらに限定されない。
【００４７】
ネットワークノード：本明細書で使用される場合、「ネットワークノード」は、無線アクセスノード、コアネットワークノード、または無線アクセスネットワークの一部または１つ以上の無線デバイスに通信サービスを提供する無線通信ネットワーク／システムのＣＮのいずれかである任意の他のノードである。
【００４８】
キャリアアグリゲーション：実施形態は、ＵＥが２つ以上のサービングセルに対してデータを受信および／または送信することができる、ＵＥのシングルキャリアおよびマルチキャリアまたはキャリアアグリゲーション（ＣＡ）動作に適用可能である。用語「キャリアアグリゲーション」（ＣＡ）は、「マルチキャリアシステム」、「マルチセル動作」、「マルチキャリア動作」、「マルチキャリア」送信および／または受信とも呼ばれる（例えば、置き換え可能に呼ばれる）。ＣＡにおいて、コンポーネントキャリア（ＣＣ）のうちの１つは、プライマリコンポーネントキャリア（ＰＣＣ）または単にプライマリキャリア、さらにはアンカーキャリアである。残りのキャリアは、セカンダリコンポーネントキャリア（ＳＣＣ）、または単にセカンダリキャリア、さらには補助キャリアと呼ばれる。サービングセルは、プライマリセル（ＰＣｅｌｌ）またはプライマリサービングセル（ＰＳＣ）と置き換え可能に呼ばれる。同様に、セカンダリサービングセルは、セカンダリセル（ＳＣｅｌｌ）またはセカンダリサービングセル（ＳＳＣ）と置き換え可能に呼ばれる。
【００４９】
シグナリング：本明細書で使用される用語「シグナリング」は、（例えば、ＲＲＣなどを介した）上位レイヤシグナリング、（例えば、物理制御チャネルまたはブロードキャストチャネルを介した）下位レイヤシグナリング、またはそれらの組合せのいずれかを指す。シグナリングは、暗示的であっても明示的であってもよい。シグナリングは、さらに、ユニキャスト、マルチキャスト、またはブロードキャストであってもよい。シグナリングはまた、別のノードに直接的に、または第３のノードを介して行われてもよい。
【００５０】
時間リソース：本明細書で使用される用語「時間リソース」は、時間の長さで表される任意のタイプの物理リソースまたは無線リソースを指す。時間リソースの例は、シンボル、タイムスロット、サブフレーム、無線フレーム、ＴＴＩ、インターリービング時間などである。
【００５１】
無線測定：本明細書で使用される用語「無線測定」（または、代替として、「測定」）は、無線信号について実行される任意の測定を指す。無線測定結果は、絶対的であっても相対的であってもよい。無線測定結果は、例えば、イントラ周波数、インター周波数、ＣＡ等であり得る。無線測定結果は、一方向（例えば、ＤＬまたはＵＬ）または双方向（例えば、ＲＴＴ、Ｒｘ−Ｔｘなど）であり得る。無線測定結果のいくつかの例：タイミング測定結果（例えば、ＴＯＡ、タイミングアドバンス、ＲＴＴ、ＲＳＴＤ、ＳＳＴＤ、Ｒｘ−Ｔｘ、伝搬遅延など）、角度測定結果（例えば、到達角）、電力ベースの測定結果（例えば、受信信号電力、ＲＳＲＰ、受信信号品質、ＲＳＲＱ、ＳＩＮＲ、ＳＮＲ、干渉電力、合計干渉プラス雑音、ＲＳＳＩ、雑音電力、ＣＱＩ、ＣＳＩ、ＰＭＩなど）、セル検出またはセル識別、ビーム検出またはビーム識別、ＲＬＭ、システム情報読み取りなど。
【００５２】
ビームフォーミングされた測定：本明細書で使用される用語「ビームフォーミングされた測定」または「無線ビームフォーミングされた測定」は、少なくとも１つのビームを使用して別の無線ノードによって送信される、少なくとも無線信号について無線ノードによって実行される上記の無線測定のいずれかを指す。送信ビームは、少なくとも２つの送信アンテナまたはアンテナ素子によって生成されてもよい。ビームフォーミングされた測定は、「ビームフォーミングを伴う測定」、１つまたは複数のビーム上の測定、ビーム測定などとも置き換え可能に呼ばれる。ビームフォーミングされた測定という用語は、ビームフォーミングされた受信を使用して、すなわち、少なくとも１つの受信ビームを使用して、測定を実行することをさらに含むことができる。受信ビームの測定を用いずに実行されるビームフォーミングされた測定は、Ｎｂ１で示される。受信ビームを用いて行われるビームフォーミングされた測定は、Ｎｂ２で示される。一貫性のために、ビームフォーミングされた測定は、総称「Ｎｂ」によって表され、Ｎｂ１またはＮｂ２とすることができる。
【００５３】
非ビームフォーミング測定（ビームフォーミングされていない測定）：本明細書で使用される用語「非ビームフォーミング測定」または「無線非ビームフォーミング測定」は、ビームなしで別の無線ノードによって送信される少なくとも無線信号について無線ノードによって実行される上記の無線測定のいずれかを指す。無線信号は、１つ以上の送信アンテナを使用することによって、他の無線ノードから送信されてもよい。無線信号は、セル全体で、または信号の少なくとも一部、例えばセクタで送信される。ビームフォーミングされていない測定は、「ビームフォーミングなしの測定」、無指向性信号または無指向性またはセクタ化されたがビームフォーミングされていないアンテナから送信された信号に関する測定、無指向性測定、セクタ測定などとも置き換え可能に呼ばれる。ビームフォーミングされていない測定という用語は、ビームフォーミングされていない受信結果を使用して、すなわち、受信ビームを使用せずに、測定を実行することをさらに含むことができる。受信ビームなしで実行される非ビームフォーミング測定は、Ｎｎ１で示される。ビームフォーミングされていない測定という用語は、ビームフォーミングされた受信を使用して、すなわち、少なくとも１つの受信ビームを使用して、測定を実行することをさらに含むことができる。受信ビームで実行される非ビームフォーミング測定は、Ｎｎ２で示される。一貫性のために、受信ビームの有無にかかわらず、ビームフォーミングされていない測定は、一般的な表記法「Ｎｎ」によって表され、これはＮｎ１またはＮｎ２と表記されうる。
【００５４】
測定性能：本明細書で使用される用語「測定性能」は、無線ノードによって実行される測定の性能を特徴付ける任意の基準またはメトリックを指す。測定性能という用語は、測定要件、測定性能要件などとも呼ばれる。しばしば、無線ノードは、実行された測定に関連する１つまたは複数の測定性能基準を満たさなければならない。測定性能基準の例は、測定時間、測定時間で測定されるセルの数、測定報告遅延、測定精度、基準値に対する測定精度（例えば、理想的な測定結果）などである。測定時間の例は、測定期間、セル識別期間、評価期間などである。
【００５５】
動的アンテナ構成：「動的アンテナ構成」という用語は、例えば、ビームが時間領域で動的に切り替えられるか、またはスイーピングされるアンテナ構成を指す。動的アンテナ構成は、ＵＥおよび／または１つまたは複数の無線アクセスノードにおけるものでありうる。動的構成は、受信アンテナおよび／または送信アンテナに適用することができる。
【００５６】
ヌメロロジー：本明細書で使用される用語「ヌメロロジー」は、例えば、サブキャリア間隔、ＲＢ当たりのサブキャリアの数、ＣＰ長、帯域幅内のＲＢの数、サブフレーム長などのうちの任意の１つまたは複数を指す。ヌメロロジーは、同じＴＰまたはセルからの送信のために静的に構成されてもよく、または動的に変更してもよく、異なるセルおよび／またはキャリア周波数のために同じであってもなくてもよい。
【００５７】
ビームのサブセット：本明細書で使用される用語「ビームのサブセット」は、セルに関連するすべてのビームまたはビームペアのセットよりも少ないビームまたはビームペアのサブセットを指す。ビームまたはビームペアは、ＤＬ送信ビーム、ＵＬ送信ビーム、ＤＬ受信ビーム、ＵＬ受信ビームのうちのいずれか１つまたは複数、またはそれらの組合せを含むことができる。ビームは、ビームフォーミング、ビームスイーピングなどから生じることがある。背景技術のセクションは、ＮＲにおけるいくつかの例示的なマルチアンテナ技術を提供する。
【００５８】
ビームフォーミングされていないＳＳまたはＳＳブロック：本明細書で使用される用語「ビームフォーミングされていないＳＳまたはＳＳブロック」は、１つまたは複数のＳＳブロック内のＳＳを含むＳＳ  （時間および／または周波数同期および／またはセルへの同期、初期アクセス、セルまたはビーム変更、および／またはセル識別など、同期を実行するために無線ノードによって受信され使用される任意の信号またはチャネル）を指し、信号／チャネルは、（たとえば、セクタ化または無指向性アンテナから）ビームフォーミングなしに送信される。さらに、ビームフォーミングされていないＳＳまたはＳＳブロックの信号／チャネルは、セル特有である。
【００５９】
ビームフォーミングされたＳＳまたはＳＳブロック：本明細書で使用される用語「ビームフォーミングされたＳＳまたはＳＳブロック」は、ＳＳまたはＳＳブロックを指し、信号／チャネルは、送信ノードによってビームを介して送信され、同期（例えば、時間および／または周波数同期、セルに対する同期、またはビームに対する同期）、初期アクセス、セルまたはビーム変更、セル識別、および／またはビーム識別を実行するために、無線ノードによって受信および使用され得る。ビームフォーミングされたＳＳまたはＳＳブロックの信号／チャネルは、ビーム特有であっても、そうでなくてもよいが、セル特有である。
【００６０】
帯域幅：本明細書で使用される用語「帯域幅」は、例えば、送信帯域幅、受信、または測定帯域幅を指す。いくつかの実施形態において、帯域幅は、例えば、第１のビームがｔ１およびｔ２においてＢＷ１で送信しており、第２のビームがｔ１においてＢＷ２で送信しており（この例において、ＢＷ１およびＢＷ２は、異なる中心周波数を有する）、ＢＷ１およびＢＷ２は、周波数において重ならないことが可能であり、したがって、総帯域幅ＢＷは、少なくともＢＷ１およびＢＷ２を含み、一例において、これらは、周波数スペクトルの別の部分を間に置いて、または置かないで、周波数において互い違いにされてもよく、例えば、ｔ１においてＢＷ＝ＢＷ１＋ＢＷ２であり、ｔ２においてＢＷ＝ＢＷ１であり、総帯域幅ＢＷは、ｔ１からｔ２へ変更（減少）する。さらに別の例において、ＳＳは、ｔ１ではＢＷ上で、ｔ２ではＢＷ０＜ＢＷ上で、同じ組のアンテナから送信され、ＢＷおよびＢＷ０は、同じ中心周波数を有することができる。
【００６１】
同期信号（ＳＳ）：  ＮＲネットワーク内の「同期信号」または「同期信号」は、ＣＰ−ＯＦＤＭに基づいている。ＮＲは、少なくとも２つのタイプの同期信号、すなわち、ＮＲ−ＰＳＳおよびＮＲ−ＳＳＳを定義する。ＮＲ−ＰＳＳは、少なくともＮＲセルへの初期シンボル境界同期のために定義される（ＰＳＳシーケンスの候補数は、１、２、３、４、および６である）。ＮＲ−ＳＳＳは、ＮＲセルＩＤまたはＮＲセルＩＤの少なくとも一部の検出のために定義される。ＮＲのセルＩＤの数は、少なくとも５０４個を対象とする。ＮＲ−ＳＳＳ検出は、少なくとも所与の周波数範囲およびＣＰオーバーヘッド内でのデュープレックスモードおよびビーム動作タイプにかかわらず、ＮＲ−ＰＳＳリソース位置との固定された時間／周波数関係に基づく。少なくとも単一ビームシナリオにおいて、ＰＳＳおよびＳＳＳの時分割多重化がサポートされる。
【００６２】
ＮＲの同期信号のラスタは、周波数範囲毎に異なっていてもよい。少なくとも、ＮＲがより広いキャリア帯域幅をサポートし、より広い周波数スペクトル（例えば、６ＧＨｚを超える）で動作する周波数範囲において、ＮＲ同期信号ラスタは、ＬＴＥの１００ｋＨｚラスタよりも大きくすることができる。
【００６３】
初期アクセスの場合、ＵＥは、規格によって与えられる所与の周波数帯域におけるＮＲ−ＰＳＳ／ＳＳＳの特定のサブキャリア間隔に対応する信号を仮定することができる。
【００６４】
ＮＲ−ＰＳＳについては、ＺＣシーケンスを、調査のためのＮＲ−ＰＳＳのベースラインシーケンスとして使用することができる。同期信号帯域幅は、少なくともヌメロロジー（キャリア間隔）に依存するが、キャリア周波数およびシステム帯域幅にも依存し得る。次に例を示す。
【００６５】
周波数範囲カテゴリ＃１（６ＧＨｚ以下）において、［１５ｋＨｚ、３０ｋＨｚ、６０ｋＨｚ］は候補サブキャリア間隔値であり、候補最小ＮＲキャリア帯域幅は［５ＭＨｚ、１０ＭＨｚ、２０ＭＨｚ］であり、各同期信号の候補送信帯域幅は約［１．０８ＭＨｚ、２．１６ＭＨｚ、４．３２ＭＨｚ、８．６４ＭＨｚ］である。
【００６６】
周波数範囲カテゴリ＃２（６ＧＨｚを超える）において、［１２０ｋＨｚ、２４０ｋＨｚ］は候補サブキャリア間隔値であり、候補最小ＮＲキャリア帯域幅は［２０ＭＨｚ、４０ＭＨｚ、８０ＭＨｚ］であり、各同期信号の候補送信帯域幅は、約［８．６４ＭＨｚ、１７．２８ＭＨｚ、３４．５６ＭＨｚ、６９．１２ＭＨｚ］である。
【００６７】
ＰＢＣＨ：少なくとも１つのブロードキャストチャネル（ＮＲ−ＰＢＣＨ）が定義される。ＮＲ−ＰＢＣＨのデコードは、デュープレックスモードおよびビーム動作タイプにかかわらず、少なくとも所定の周波数範囲およびＣＰオーバーヘッド内で、ＮＲ−ＰＳＳおよび／またはＮＲ−ＳＳリソース位置との固定された関係に基づいている。ＮＲ−ＰＢＣＨは、キャリア周波数範囲に応じて規格で予め定義された固定ペイロードサイズおよび周期を有する最小システム情報の少なくとも一部を運ぶ、スケジュールされていないブロードキャストチャンネルである。ＮＲ−ＰＢＣＨコンテンツは、少なくともＳＦＮ  （システムフレーム数）およびＣＲＣを含むものとする。ＵＥにおいて、ＮＲ−ＰＢＣＨ伝送方式やアンテナポート数のブラインド検出は必要ない。ＮＲ−ＰＢＣＨ送信の場合、単一の固定数のアンテナポートがサポートされる。ＮＲ−ＰＢＣＨのヌメロロジーがＮＲ−ＰＳＳ／ＳＳＳのヌメロロジーと同じであるかどうかはまだわかっていない。
【００６８】
ＳＳブロック：  ＮＲ−ＰＳＳ、ＮＲ−ＳＳＳおよび／またはＮＲ−ＰＢＣＨは、ＳＳの例であり、ＳＳブロック内で送信することができる。所与の周波数帯域について、ＳＳブロックは、デフォルトサブキャリア間隔に基づいてＮ個のＯＦＤＭシンボルに対応し、Ｎは定数である。ＵＥは、ＳＳブロックから、少なくともＯＦＤＭシンボルインデックス、無線フレームにおけるスロットインデックス、および無線フレーム番号を識別することができなければならない。（例えば、無線フレームに関して、またはＳＳバーストセットに関して）可能なＳＳブロック時間ロケーションの単一のセットが、周波数帯域ごとに指定される。少なくともマルチビームの場合、少なくともＳＳブロックの時間インデックスがＵＥにインジケートされる（示される）。
【００６９】
いくつかの実施形態において、ＳＳブロックは、１つまたは複数の他の基準信号、たとえば、モビリティのために使用される基準信号を含むことさえできる。
【００７０】
ＳＳバースト：１つまたは複数のＳＳブロックがＳＳバーストを構成する。
【００７１】
ＳＳバーストセット：１つまたは複数のＳＳバーストは、ＳＳバーストセット内のＳＳバーストの数が有限であるＳＳバーストセット（またはシリーズ）をさらに構成する。物理層規格の観点から、ＳＳバーストセットの少なくとも１つの周期がサポートされる。ＵＥの観点から、ＳＳバーストセット送信は周期的である。少なくとも最初のセル選択のために、ＵＥは、所与のキャリア周波数（例えば、５ｍｓ、１０ｍｓ、２０ｍｓ、４０ｍｓ、８０ｍｓ、または１００ｍｓのうちの１つ）のためのＳＳバーストセット送信のデフォルト周期を仮定することができる。ＵＥは、所与のＳＳブロックがＳＳバーストセット周期で繰り返されると仮定することができる。デフォルトにおいて、ＵＥは、ｇＮＢが、ＳＳバーストセット内の異なるＳＳブロックにわたって、同じ数の物理ビーム（複数可）を送信していると仮定しないし、同じ物理ビーム（複数可）を送信しているとも仮定しない。ＳＳブロック、ＳＳバースト、およびＳＳバーストセットの例示的な構成を図１４に示す。
【００７２】
Ｂ．無線デバイスにおける方法
無線デバイスの動作の例示的な方法は、以下でさらに詳細に説明される以下の一般的なステップを含む。ステップは数字に関連付けられているが、数字は、ステップの特定の順序を規定することを意図するものではない。
【００７３】
Ｓｔｅｐ１：
無線デバイスは、時間ｔ１およびｔ２において、１つまたは複数のＳＳまたはＳＳブロックのヌメロロジーＮＵＭを取得し、ここで、時間ｔ２は、時間ｔ１とは異なる（ＳＳまたはＳＳブロックは、いくつかの例において、同じＳＳバーストセットに属し得る）。
【００７４】
ステップ２：
無線デバイスは、時間ｔ１（ｔ１の後の次のＳＳまたはＳＳブロックへ）および時間ｔ２（ｔ２の後の次のＳＳまたはＳＳブロックへ）についてそれぞれＳＳまたはＳＳブロックの周期Ｔ１およびＴ２を取得する（例えば、Ｔ１およびＴ２は同じであってもなくてもよく、Ｔ２は、例えば、周期が変更した場合、またはｔ１およびｔ２におけるＳＳ／ＳＳブロックが異なるバーストセットに属する場合、異なっていてもよい）。
【００７５】
ステップ３：
無線デバイスは、時間ｔ１において、１つまたは複数のＳＳまたはＳＳブロックのための帯域幅ＢＷ１および帯域幅中心ＢＷＣ１を取得する。
【００７６】
ステップ４：
無線デバイスは、時間ｔ２において、１つまたは複数のＳＳまたはＳＳブロックについて、帯域幅ＢＷ１とは異なる帯域幅ＢＷ２と、帯域幅中心ＢＷＣ１とは異なる帯域幅中心ＢＷＣ２とを取得する（ｔ１およびｔ２は、同じまたは異なるＳＳブロックおよび／またはＳＳバースト内にあってもよい）。
【００７７】
ステップ５：
無線デバイスは、ｔ１およびｔ２におけるアンテナ構成の１つまたは複数の特徴Ｃを決定する。
【００７８】
ステップ６：
無線デバイスは、ヌメロロジーＮＵＭ、Ｔ１、Ｔ２、ＢＷ１、ＢＷＣ１、ＢＷ２、ＢＷＣ２、およびＣに基づいて、ｔ１およびｔ２で受信されたＳＳまたはＳＳブロックの測定（例えば、測定時間、報告時間など）に関連する時間Ｔｓｓを決定する。時間Ｔｓｓは、測定時間、例えば、測定が完了されるべき時間量、または報告時間、例えば、ＳＳ測定がトリガされてから測定が報告される時間までの時間であってもよい。
【００７９】
ステップ７：
無線デバイスは、１つまたは複数の動作タスクのために、決定された時間を使用する。
【００８０】
ステップ１において、無線デバイスは、時間ｔ１およびｔ２において、１つまたは複数のＳＳまたはＳＳブロックのヌメロロジーＮＵＭを取得することができる（ＳＳまたはＳＳブロックは、いくつかの例において、同じＳＳバーストセットに属してもよいし、属さなくてもよい）。取得することは、所定の値、所定の規則、別のノード（例えば、無線ネットワークノードまたは制御ノード）から受信されたメッセージ、測定値（例えば、２つ以上の所定の仮説をテストすることによる）などに基づくことができる。ヌメロロジー（例えば、サブキャリア間隔および／またはシンボルまたはスロット／ミニスロット長）は、例えば、キャリア周波数または周波数帯域、セルのタイプ、ｔ１またはｔ２におけるＳＳ（１つまたは複数）またはＳＳブロックの時間単位インデックス番号（例えば、サブフレーム番号またはスロット番号）（例えば、サブフレーム＃０において、ＵＥは、特定の事前定義されたヌメロロジーを想定し得る）、システム帯域幅、デュープレックスモード（例えば、ＴＤＤ、ＦＤＤ、ＨＤ−ＦＤＤ、フレキシブルＴＤＤなど）、ＳＳまたはＳＳブロックのタイプ、無線デバイスのアクティビティ状態（例えば、ＮＵＭ１は、ＩＤＬＥ（アイドル）状態と想定され、ＮＵＭ２は、ＣＯＮＮＥＣＴＥＤ（接続中）状態と想定される）、などのうちの一つまたは複数に関連付けられているか、マッピングされていてもよい。
【００８１】
ステップ２において、無線デバイスは、時間ｔ１（ｔ１の後の次のＳＳまたはＳＳブロックへ）および時間ｔ２（ｔ２の後の次のＳＳまたはＳＳブロックへ）についてそれぞれＳＳまたはＳＳブロックの周期Ｔ１およびＴ２を取得することができる（例えば、Ｔ１およびＴ２は同じであってもなくてもよく、Ｔ２は、例えば、周期が変更した場合、またはｔ１およびｔ２におけるＳＳ／ＳＳブロックが異なるバースト設定に属する場合、異なっていてもよい）。取得することは、事前定義された値、事前定義された規則、別のノード（例えば、無線ネットワークノードまたは制御ノード）から受信されたメッセージ、測定値（例えば、２つ以上の事前定義された仮説をテストすることによる）などのうちの１つまたは複数に少なくとも部分的に基づくことができる。周期は、例えば、キャリア周波数または周波数帯域、セルのタイプ、ヌメロロジー、システム帯域幅、デュープレックスモード（例えば、ＴＤＤ、ＦＤＤ、ＨＤ−ＦＤＤ、フレキシブルＴＤＤなど）、ＳＳまたはＳＳブロックのタイプ、無線デバイスのアクティビティ状態（例えば、異なる周期は、ＩＤＬＥとＣＯＮＮＥＣＴＥＤまたはＩＤＬＥとＣＯＮＮＥＣＴＥＤとの間の中間状態であるＩＮＡＣＴＩＶＥ状態のために事前定義されてもよい）などのうちの１つまたは複数に関連付けられているか、マッピングされていてもよい。
【００８２】
ステップ３において、無線デバイスは、時間ｔ１において、１つまたは複数のＳＳまたはＳＳブロックのための帯域幅ＢＷ１および帯域幅中心ＢＷＣ１を取得することができる。取得することは、予め定義された値、予め定義された規則（例えば、ＢＷ１＊Ｔ１＝Ｔ１に基づいてＢＷ１を導出することができ、その逆も同様であり、ＢＷ１はシステム帯域幅より大きくすべきではない）、別のノード（例えば、無線ネットワークノードまたは制御ノード）から受信されたメッセージ、測定値（例えば、２つ以上の予め定義された仮説をテストすることによる）などに基づくことができる。
【００８３】
ＢＷ１および／またはＢＷＣ１は、例えば、キャリア周波数または周波数帯域、セルのタイプ、ヌメロロジー、システム帯域幅、デュープレックスモード（例えば、ＴＤＤ、ＦＤＤ、ＨＤ−ＦＤＤ、フレキシブルＴＤＤなど）、ＳＳまたはＳＳブロックのタイプ、周期Ｔ１、無線デバイスのアクティビティ状態（例えば、異なる帯域幅は、ＩＤＬＥおよびＣＯＮＮＥＣＴＥＤまたはＩＮＡＣＴＩＶＥのために事前に定義され得る）などのうちの１つまたは複数に関連付けられるか、またはそれらからマッピングされていてもよい。
【００８４】
ステップ４において、無線デバイスは、時間ｔ２において、１つまたは複数のＳＳまたはＳＳブロックのための帯域幅ＢＷ２および帯域幅中心ＢＷＣ２を取得することができる（ｔ１およびｔ２は、同じまたは異なるＳＳブロックおよび／またはＳＳバースト内にあってもよい）。取得することは、事前定義された値、事前定義された規則（例えば、ＢＷ２＊Ｔ２＝Ｔ２に基づいて事前定義された既知の値であり、ＢＷ２を導出することができ、その逆も可能であり、ＢＷ２はシステム帯域幅より大きくてはならない）、別のノード（例えば、無線ネットワークノードまたは制御ノード）から受信されたメッセージ、測定値（例えば、２つ以上の事前定義された仮説をテストすることによる）などのうちの一つまたは複数に少なくとも部分的に基づいていてもよい。
【００８５】
ＢＷ２および／またはＢＷＣ２は、例えば、キャリア周波数または周波数帯域、セルのタイプ、ヌメロロジー、システム帯域幅、デュープレックスモード（例えば、ＴＤＤ、ＦＤＤ、ＨＤ−ＦＤＤ、フレキシブルＴＤＤなど）、ＳまたはＳＳブロックのタイプ、周期Ｔ２、帯域幅ＢＷ１、無線デバイスのアクティビティ状態（例えば、異なる帯域幅は、ＩＤＬＥおよびＣＯＮＮＥＣＴＥＤまたはＩＮＡＣＴＩＶＥのために事前に定義され得る）などのうちの１つまたは複数に関連付けられるか、またはマッピングされていてもよい。
【００８６】
別の例において、ＢＷ２は、Ｎ１＊ＢＷ１＝Ｎ２＊ＢＷ２が一定であり、事前定義されるという規則から決定されてもよく、ここで、Ｎ１およびＮ２は、それぞれ、ＢＷ１およびＢＷ２のサンプル数またはサンプル長（例えば、ヌメロロジーに依存するシンボル長）であってもよい。
【００８７】
さらに別の例において、無線デバイスは、例えば、これが無線デバイスの受信または送信に何らかのまたは何らかの過度の中断を引き起こす可能性がある場合に、帯域幅再構成を回避するために、（ｔ２におけるＳＳまたはＳＳブロックの送信帯域幅がＢＷ１よりも大きい場合であっても）ＢＷ２をＢＷ１よりも大きくないと決定または適合させる。
【００８８】
ステップ５において、無線デバイスは、ＳＳまたはＳＳブロックを送信するために、ｔ１およびｔ２におけるアンテナ構成の１つまたは複数の特性Ｃを決定することができる。特性の例は、例えば、以下のうちの任意の１つ以上のインジケーション（指標）を含み得る：
●送信ビームのセットがｔ１およびｔ２において同じ（または類似）であるかまたは異なるか、
●測定された送信ビームのセットがｔ１およびｔ２において同じ（または類似）であるかまたは異なるか、
●アンテナ構成がｔ１およびｔ２の一方または両方においてビームフォーミングされているか、
●アンテナ構成がｔ１およびｔ２の一方または両方においてビームフォーミングされていないか、
●ＳＳ送信がｔ１においてビームフォーミングされたアンテナおよびビームフォーミングされていないアンテナの両方からであるか、
●ＳＳ送信がｔ２においてビームフォーミングされたアンテナおよびビームフォーミングされていないアンテナの両方からであるか、
●ビームのうちの少なくとも１つの構成（たとえば、ビーム幅、指向性利得など）がｔ１およびｔ２において異なるか、
●ＳＳまたはＳＳブロックを送信するすべてのビームの構成（たとえば、ビーム幅、指向性利得など）がｔ１およびｔ２において同じであるか（または類似であるか、たとえば、構成パラメータがデルタ以下だけ変更された）
●セル内のＳＳまたはＳＳブロックを送信するすべてのビームの構成（例えば、ビーム幅、指向性利得など）は、ｔ１およびｔ２において同じ（または類似しており、例えば、構成パラメータがデルタ以下だけ変更された）
●無線デバイスによって受信されるＳＳまたはＳＳブロックを送信するすべてのビームの構成（例えば、ビーム幅、指向性利得など）が、ｔ１およびｔ２において同じ（または類似している、例えば、構成パラメータがデルタ以下だけ変更された場合）であるかどうか。
【００８９】
一例において、特性Ｃは、特定の無線デバイスのアクティビティ状態、たとえば、ＩＤＬＥまたはＩＮＡＣＴＩＶＥのために事前定義され得る。別の例において、ＵＥは、１つまたは複数の特定の条件が満たされる場合、たとえば、ｔ１およびｔ２が特定のサブフレーム内にある、またはｔ１およびｔ２内のＳＳブロックが特定のインデックスを有する場合、ＳＳまたはＳＳブロック送信がビームフォーミングされないと仮定することができる。さらに別の例において、ＵＥは、１つまたは複数の特定の条件が満たされる場合、たとえば、ｔ１およびｔ２が特定のサブフレーム内にある、またはｔ１およびｔ２内のＳＳブロックが特定のインデックスを有する場合、ＳＳまたはＳＳブロック送信がビームフォーミングされると仮定することができる。特性Ｃに応じて、無線デバイスは、それ自体のアンテナ構成を調整することをさらに決定することができ、たとえば、送信アンテナがｔ１およびｔ２で異なる場合、異なる受信アンテナ構成または受信ビーム（複数可）を使用することができる。
【００９０】
ステップ６において、無線デバイスは、数値ＮＵＭ、Ｔ１、Ｔ２、ＢＷ１、ＢＷＣ１、ＢＷＣ１、ＢＷ２、ＢＷＣ２、ＢＷＣ２、Ｃ、及び／又はこれらのパラメータのいずれかとの関係に基づいて、少なくともｔ１及びｔ２で受信した信号／チャネルに基づく測定に関連する時間Ｔｓｓ（例えば、測定時間、報告時間等）を決定する。例えば、時間Ｔｓｓは、以下の関数のいずれかに従って決定されてもよい：
Ｔｓｓ＝ｆ（ＮＵＭ，  Ｔ１，  Ｔ２，  ＢＷ１，  ＢＷＣ１，  ＢＷ２，  ＢＷＣ２，  Ｃ，  および，  オプションで，  Ｋ）
Ｔｓｓ＝ｆ（ＮＵＭ，  ｍａｘ（Ｔ１，  Ｔ２），  ＢＷ１，  ＢＷＣ１，  ＢＷ２，  ＢＷＣ２，  Ｃ，  および，  オプションで，  Ｋ）
Ｔｓｓ＝ｆ（ＮＵＭ，  Ｔ１，  Ｔ２，  ｍｉｎ（ＢＷ１，  ＢＷ２），  ＢＷＣ１，  ＢＷＣ２，  Ｃ，  および，  オプションで，  Ｋ）
Ｔｓｓ＝ｆ（ＮＵＭ，  Ｔ１／Ｔ２，  ＢＷ１／ＢＷ２，  ＢＷＣ１，  ＢＷＣ２，  Ｃ，  および，  オプションで，  Ｋ）
Ｔｓｓ＝ｆ（ＮＵＭ，  Ｔ１＊ＢＷ１，  Ｔ２＊ＢＷ２，  ＢＷＣ１，  ＢＷＣ２，  Ｃ，  および，  オプションで，  Ｋ）
Ｔｓｓ＝ｆ（ＮＵＭ，  Ｎ１＊ＢＷ１，  Ｎ２＊ＢＷ２，  ＢＷＣ１，  ＢＷＣ２，  Ｃ，  および，  オプションで，  Ｋ）
Ｔｓｓ＝ｆ（ＮＵＭ，  Ｎ１＊ＮＢＷ１，  Ｎ２＊ＮＢＷ２，  ＢＷＣ１，  ＢＷＣ２，  Ｃ，  および，  オプションで，  Ｋ）。
【００９１】
Ｔｓｓはまた、例えば、ＢＷＣ１およびＢＷＣ２に反映され得るキャリア周波数または周波数帯域に依存し得る。上記において、Ｎ１およびＮ２は、それぞれＢＷ１およびＢＷ２のサンプル数またはサンプル長（例えば、ヌメロロジーに依存するシンボル長）であってもよい。１つのさらなる例において、Ｎ１＊ＢＷ１＝Ｎ２＊ＢＷ２は、一定であり、事前定義される。ＮＢＷ１およびＮＢＷ２は、（例えば、サンプリングレートまたはＦＦＴサイズに応じて）周波数におけるサンプルの数であってもよい。これは、Ｎ１＊ＮＢＷ１＝Ｎ２＊ＮＢＷ２が所定の定数であるようにすることができる。
【００９２】
Ｔｓｓはまた、測定期間中に発生する周期、帯域幅、および／または帯域幅中心の変更の数Ｋの関数であってもよい。一例において、測定時間Ｔｓｓを測定するために使用されるタイマは、変更が判定された際に０から再開される必要がある場合があり、したがって、一実施形態において、Ｔｓｓは、Ｋまたはｍｉｎ（Ｋ，ｋ）でスケーリングすることができ、ここで、ｋ（例えば、ｋ＝３）は、許容されるスケーリング数の最大数である。複数の変更（例えば、Ｋ＞１）は、２つ以上のｔ１およびｔ２のペアに対して、ステップ１〜ステップ５の少なくともいくつかを複数回実行することを含み得る（１つの例において、ｔ１およびｔ２は連続しているが、時間的には必ずしも隣接していなくてもよい、一方、別の例において、無線デバイスは、ｔ１とｔ２の間にＳＳブロックおよびＳＳブロックとｔ１ａがある場合でも、ＢＷ１およびＢＷ２の最小値を取ることができる）。例えば、ｔ１における送信帯域幅がＢＷ１であり、ｔ２における送信帯域幅がＢＷ２（ＢＷ１＜ＢＷ２）であり、ｔ３における送信帯域幅がＢＷ３（ＢＷ２＜ＢＷ３）である場合、無線デバイスは、ＢＷ１、ＢＷ２、およびＢＷ３の最小値に基づいてＴｓを決定することができる。
【００９３】
ＢＷＣ１およびＢＷＣ２が、同じでないか、または、ＢＷ１およびＢＷ２に依存した閾値を超えるほどに異なっている場合、ＢＷＣ１およびＢＷＣ２が同じである場合と比較して、さらなるマージンが追加され得る。別の例において、同じでないか、または、閾値を超えるほどに異なっている場合（閾値はＢＷ１およびＢＷ２に依存し得る）、Ｔｓｓは、それらが同じである場合と比較して、ｒ倍長くなり得る。ＢＷ１およびＢＷ２が周波数においてオーバーラップしている場合、ｒ＝１であり得、そうでない場合、ｒ＞１であり得る。
【００９４】
別の例において、Ｔｓｓは、サブキャリア間隔に依存し、例えば、Ｔｓｓは、より短いサブキャリア間隔については（例えば、ｔ１およびｔ２において他のすべての等しいパラメータを用いて）より長くてもよい。別の例において、Ｃがアンテナ構成の変更を示す場合、特に、ＵＥが、変更が起こるかどうかをブランインドで決定しなければならない場合、または、同じビームセットが使用される場合、ｔ１およびｔ２で確認しなければならない場合、より長いＴｓｓが適用され得る。別の例において、Ｔｓｓは、（ｔ１とｔ２との間の）最小の共通アンテナ構成サブセット（例えば、ビームまたは送信アンテナのセットまたはサブセット）に基づいて決定され得る。さらに別の例において、Ｔｓｓは、ｔ１およびｔ２の間の最も悲観的なアンテナ構成について（たとえば、ビームの最低利得または最小セットについて）決定され得る。１つのさらなる実施形態において、Ｔｓｓは、１回の測定に対して１回決定されてもよい。別の実施形態において、Ｔｓｓは、測定中に動的に決定されてもよい。さらに別の実施形態において、Ｔｓｓは、測定中に１回または複数回更新（例えば、延長または短縮）され得る。
【００９５】
１つの例示的な実施形態において、Ｔｓｓは、Ｔｓｓ＿ｔ１およびＴｓｓ＿ｔ２のうちの最大値とすることができ、ここで、Ｔｓｓ＿ｔ１は、Ｎ１＊ｍａｘ（Ｔ１）またはＮ１＊ｍａｘ（Ｔ１、ＤＲＸサイクル長）であり、Ｔｓｓ＿ｔ２は、Ｎ２＊ｍａｘ（Ｔ２）またはＮ２＊ｍａｘ（Ｔ２、ＤＲＸサイクル長）である。サンプル数Ｎ１およびＮ２は、テーブル内でルックアップすることができ、異なる帯域幅（ＢＷ１、ＢＷ２）、サブキャリア間隔、および／または周波数範囲に依存することができる（あるいは、Ｎ１および／またはＮ２は、帯域幅とは無関係であってもよい）。さらに、ＮＲ内の周波数範囲は、特定のヌメロロジーまたはヌメロロジー範囲、例えば、第１の周波数範囲ＦＲ１については１５ｋＨｚおよび３０ｋＨｚ、第２の周波数範囲ＦＲ２については１２０ｋＨｚおよび２４０ｋＨｚに関連付けることができる。したがって、周波数範囲への依存性はまた、ヌメロロジーへの依存性を示唆している。
【００９６】
ステップ７において、ＵＥは、例えば、以下を含む１つまたは複数の動作タスクのために、決定された時間Ｔｓｓを使用することができる：
●決定された時間Ｔｓｓの間、この測定のためにＳＳまたはＳＳブロックを受信するように受信機を構成（設定）する
●決定された時間Ｔｓｓにわたって受信されたサンプルを結合して測定結果にする
●Ｔｓｓ中に受信されたＳＳまたはＳＳブロックに基づいてセルＩＤを決定する
●Ｔｓｓ以下の間に同期手順を完了する
●Ｔｓｓ以内で測定を完了（測定結果取得）する
●Ｔｓｓの終了までに測定結果にタイムスタンプを付ける
●サンプル結果のフィルタリングを、Ｔｓｓにより適応的に、実行する。
【００９７】
●少なくとも同じキャリア上で、Ｔｓｓ中にＲＦパラメータ（例えば、ＲＦ帯域幅）を変更することを控える（抑制する）
●Ｔｓｓの期間の全体にわたってＳＳまたはＳＳブロックを受信するために同じセットの受信ビームを使用するように受信機を構成する
●Ｌ１および／またはＬ３フィルタリングを、Ｔｓｓに適応的に、構成する（例えば、フィルタリングウィンドウサイズ、フィルタリング係数など）
●関連するＵＬ送信（例えば、ＲＡメッセージまたはＡＣＫ／ＮＡＣＫ、または測定結果を伴う報告）のための時間を決定するが、この時間は前のステップで決定された時間Ｔｓｓよりも遅くなくてもよい
●ＵＬ送信タイミングを取得するのに必要な時間を決定し、この時間は前のステップで決定された時間Ｔｓｓと少なくとも同じ大きさであってもよい
●他のノードへのＴｓｓをインジケートする（示す）
●例えば、統計、履歴、または将来の使用のために、Ｔｓｓを格納する。
【００９８】
Ｃ．  ネットワークノードにおけるメソッド（方法）
ネットワークノード（ｇＮｏｄｅＢまたはｇＮｏｄｅＢをシミュレートする試験装置であってもよい）の例示的な動作方法は、以下でさらに詳細に説明される以下の一般的なステップを含む。ステップは数字に関連付けられているが、数字は、ステップの特定の順序を規定することを意図するものではない。
【００９９】
ステップ０：
ネットワークノードは、ＳＳまたはＳＳブロックを受信することに関連する無線デバイスの能力を取得する。
【０１００】
ステップ１：
ネットワークノードは、ビームフォーミングされていないＳＳまたはＳＳブロックを送信する必要性を判定する。
【０１０１】
ステップ２：
決定された必要性に応じて、ネットワークノードは、１つまたは複数の時間リソースＲ１における第１のセルＩＤに基づいて、ビームフォーミングされていないＳＳまたはＳＳブロック（ＳＳ、および同じ時間および／または周波数リソースのブロック内の１つまたは複数の他の信号／チャネル）を送信する。いくつかの実施形態において、無線アクセスノードは、無線デバイスリソースＲ１を、暗示的にまたは明示的にインジケートする（示す）。
【０１０２】
ステップ３：
ネットワークノードは、ビームフォーミングされたＳＳまたはＳＳブロックを送信する必要性を判定する。
【０１０３】
ステップ４：
決定された必要性に応じて、無線アクセスノードは、１つまたは複数のリソースＲ２における第１のセルＩＤに基づいて、ビームフォーミングされたＳＳまたはＳＳブロックを送信し、ここで、Ｒ１およびＲ２は、それぞれ、セクションＢで上述されたｔ１およびｔ２を含み、いくつかの実施形態において、無線アクセスノードは、暗示的または明示的に、無線デバイスリソースＲ２をインジケートする（示す）。
【０１０４】
ステップ５：
ネットワークノードは、Ｒ１およびＲ２に含まれるｔ１およびｔ２で受信された信号／チャネルに少なくとも基づく測定値（例えば、測定時間、報告時間など）に関連する時間Ｔｓｓを無線デバイスのために決定する。
【０１０５】
Ｓｔｅｐ  ５ａ：
ネットワークノードは、無線デバイスによって使用されるヌメロロジーＮＵＭを決定する。
【０１０６】
Ｓｔｅｐ  ５ｂ：
ネットワークノードは、無線デバイスによって使用される周期Ｔ１およびＴ２を決定する。
【０１０７】
Ｓｔｅｐ  ５ｃ：
ネットワークノードは、無線デバイスによって使用されるＢＷ１、ＢＷＣ１、ＢＷ２、ＢＷＣ２を決定する。
【０１０８】
Ｓｔｅｐ  ５ｄ：
ネットワークノードは、ｔ１およびｔ２において無線アクセスノードによって使用されるアンテナ構成の特性Ｃを決定する。
【０１０９】
ステップ６：
ネットワークノードは、ビームフォーミングされていない、および／または、ビームフォーミングされたＳＳまたはＳＳブロックを受信することに関連した結果を無線デバイスから受信する。いくつかの実施形態において、ネットワークノードはまた、無線デバイスによって使用されるＳＳまたはＳＳブロックのタイプ（例えば、非ビームフォーミング、ビームフォーミング、または両方）を決定し、および／または、決定されたタイプに基づいて、１つまたは複数の動作を実行する。
【０１１０】
ステップ０において、無線デバイスの能力は、無線デバイスから受信されてもよく、そうでなければ、無線アクセスノードは、ＳＳまたはＳＳブロック受信に関連する最小デフォルト無線デバイス能力を仮定してもよく、これは、測定帯域幅、同じ測定中の異なるＳＳブロックにおける帯域幅中心のアライメント、サポートされる周期などを含む。一例において、異なるアクティビティ状態、例えば、ＩＤＬＥまたはＣＯＮＮＥＣＴＥＤにおける無線デバイスの能力は異なり得る。
【０１１１】
ステップ１および２の一例において、ネットワークノードは、ビームフォーミングされていない送信のために使用されるべき、リソースＲ１の事前定義されたセットにおいて、ビームフォーミングされていないＳＳおよびＳＳブロックを常に送信することができる。いくつかの例において、ビームフォーミングされていない送信は、少なくともＩＤＬＥ状態の無線デバイスによって使用され得る。Ｒ１は、ブロードキャスト、マルチキャスト、または専用のシグナリングで無線デバイスに通信され得る。
【０１１２】
ステップ３および４の一例において、ネットワークノードは、Ｒ１とオーバーラップしないＲ２においてビームフォーミングされたＳＳまたはＳＳブロックを送信することができる。別の例において、無線アクセスノードは、オーバーラップしたリソースにおいて同じアンテナ／ビーム構成が使用される場合、Ｒ１と完全にまたは少なくとも部分的にオーバーラップしたＲ２で、ビームフォーミングされたＳＳまたはＳＳブロックを送信することができる。さらに別の例において、ネットワークノードは、非ＩＤＬＥ状態にある少なくとも１つの無線デバイスがそのカバレッジ下にあると判断したときに、ビームフォーミングされたＳＳまたはＳＳブロックを送信することができる。Ｒ２は、ブロードキャスト、マルチキャスト、または専用のシグナリングで無線デバイスに通信されて通知されてもよい。
【０１１３】
ステップ５ａ〜５ｃにおいて、Ｔｓｓを決定するための原理および規則は、セクションＢの無線デバイスについて上述したものと同様であってもよく、ＮＵＭ、Ｔ１、Ｔ２、ＢＷ１、ＢＷ２、ＢＷＣ１、ＢＷＣ２、または変更の数の決定は、事前定義された値、規則、または自己のコンフィギュレーション（構成）のうちの１つまたは複数に少なくとも部分的に基づいてもよい。
【０１１４】
ステップ６に関して、結果を受信するために、ネットワークノードは、例えば、結果のための待ち時間を構成するために、無線デバイスの送信のためにＵＬスケジューリングを適応させるために、などのために、決定されたＴｓｓを使用することができる。無線デバイスは、ステップ７のセクションＢにおける説明に従って結果を得ることができる。ネットワークノードは、無線デバイスからメッセージに搭載された結果を受信することができる。
【０１１５】
メッセージはまた、無線デバイスによって使用されるＳＳまたはＳＳブロックのタイプ（例えば、非ビームフォーミング、ビームフォーミング、または両方）を示すことができる。この情報はまた、（例えば、送信するか否かを決定するために）ビームフォーミングされていないおよび／またはビームフォーミングされたＳＳまたはＳＳブロック送信のその送信をさらに適応させるために、ネットワークノードによって使用されてもよい。
【０１１６】
ネットワークノード動作のいくつかの非限定的な例には、以下のものが含まれる：
●ＳＳまたはＳＳブロック送信構成、
●無線デバイスへのモビリティまたはセル変更アシスト、
●（例えば、ＲＲＭ、モビリティ、ビーム管理、測位、ＳＯＮなどのための）無線デバイスのための１つまたは複数のイントラ周波数測定値またはインター周波数測定値を構成すること、
●ＵＥのＤＬおよび／またはＵＬスケジューリングを適応させること、
●無線デバイスのためのサービングセルのセットを（再）構成すること、
●無線デバイスへの送信または無線デバイスからの受信のために１つまたは複数の無線デバイス向けビームを構成すること、および
●無線デバイスへの１つまたは複数の送信を構成すること。
【０１１７】
説明される実施形態は、任意の適切な通信規格をサポートし、任意の適切な構成要素を使用する任意の適切なタイプの通信システムにおいて実装され得る。一例として、特定の実施形態は、図１に示されるような通信システムにおいて実装されてもよい。特定の実施形態は、ＮＲシステムおよび関連する用語に関して説明されるが、開示される概念は、ＮＲまたは３ＧＰＰシステムに限定されない。さらに、「セル」という用語を参照することができるが、説明される概念は、例えば、第５世代（５Ｇ）システムで使用されるビームなど、他の状況にも適用することができる。
【０１１８】
Ｄ．ハードウェアおよびソフトウェアの実施形態のさらなる説明
図１を参照すると、通信システム１００は、複数の無線通信デバイス１０５（例えば、ＵＥ、マシンタイプ通信（ＭＴＣ）／マシンツーマシン（Ｍ２Ｍ）ＵＥ）と、複数の無線アクセスノード１１０（例えば、ｅＮｏｄｅＢまたは他の基地局）とを含む。通信システム１００は、対応する無線アクセスノード１１０を介してコアネットワーク１２０に接続されるセル１１５へ組織化されている。無線アクセスノード１１０は、無線通信デバイス間、または無線通信デバイスと別の通信デバイス（陸上電話など）との間の通信をサポートするのに適した任意の追加の要素を用いて、無線通信デバイス１０５と通信することができる。
【０１１９】
ワイヤレス通信デバイス１０５は、ハードウェアおよび／またはソフトウェアの任意の適切な組合せを含む通信デバイスを表すことができるが、これらのワイヤレス通信デバイスは、いくつかの実施形態において、図１１Ａおよび図１１Ｂによってより詳細に示されるものなどの装置を表すことができる。同様に、図示の無線アクセスノードは、ハードウェアおよび／またはソフトウェアの任意の適切な組合せを含む無線アクセスノードを表すことができるが、これらのノードは、特定の実施形態において、図１２Ａ、図１２Ｂ、および図１３によってより詳細に示されるようなデバイスを表すことができる。
【０１２０】
図２Ａを参照すると、無線通信デバイス２００Ａは、プロセッサ２０５（例えば、中央処理装置（ＣＰＵ）、特定用途向け集積回路（ＡＳＩＣ）、フィールドプログラマブルゲートアレイ（ＦＰＧＡ）など）、メモリ２１０、トランシーバ２１５、およびアンテナ２２０を含む。いくつかの実施形態において、ＵＥ、ＭＴＣ、またはＭ２Ｍデバイス、および／または任意の他のタイプのワイヤレス通信デバイスによって提供されるものとして説明される機能の一部またはすべては、メモリ２１０などのコンピュータ可読媒体上に格納された命令を実行するデバイスプロセッサによって提供され得る。代替の実施形態は、本明細書で説明される機能のいずれかを含む、デバイスの機能の特定の態様を提供する責任を負うことができる、図２Ａに示される構成要素を超える追加の構成要素を含むことができる。
【０１２１】
図２Ｂを参照すると、ワイヤレス通信デバイス２００Ｂは、１つまたは複数の対応する機能を実行するように構成された少なくとも１つのモジュール２２５を含む。そのような機能の例は、無線通信デバイスを参照して本明細書に記載されるような、種々の方法ステップまたは方法ステップの組み合わせを含む。一般に、モジュールは、対応する機能を実行するように構成されたソフトウェアおよび／またはハードウェアの任意の適切な組合せを含むことができる。例えば、いくつかの実施形態において、モジュールは、図２Ａに示すような、関連するプラットフォーム上で実行されると、対応する機能を実行するように構成されたソフトウェアを含む。
【０１２２】
図３Ａを参照すると、無線アクセスノード３００Ａは、ノードプロセッサ３０５（例えば、中央処理装置（ＣＰＵ）、特定用途向け集積回路（ＡＳＩＣ）、フィールド・プログラマブル・ゲート・アレイ（ＦＰＧＡ）など）、メモリ３１０、およびネットワークインタフェース３１５を含む制御システム３２０を含む。さらに、無線アクセスノード３００Ａは、少なくとも１つの送信機３３５と、少なくとも１つのアンテナ３３０に結合された少なくとも１つの受信機とを含む少なくとも１つの無線ユニット３２５を含む。いくつかの実施形態において、無線ユニット３２５は、制御システム３２０の外部にあり、例えば、有線接続（例えば、光ケーブル）を介して制御システム３２０に接続される。しかし、いくつかの他の実施形態において、無線ユニット３２５と、潜在的にはアンテナ３３０は、制御システム３２０と一体化される。ノードプロセッサ３０５は、本明細書で説明するように、無線アクセスノード３００Ａの少なくとも１つの機能３４５を提供するように動作する。いくつかの実施形態において、機能は、例えば、メモリ３１０に格納され、ノードプロセッサ３０５によって実行されるソフトウェアで実装される。
【０１２３】
いくつかの実施形態において、基地局、ノードＢ、ｅノードＢ、および／または任意の他のタイプの無線アクセスノードによって提供されるものとして説明される機能の一部またはすべては、図１２Ａに示されるメモリ３１０などのコンピュータ可読媒体上に格納される命令を実行するノードプロセッサ３０５によって提供され得る。無線アクセスノード３００の代替実施形態は、本明細書で説明される機能性および／または関連するサポート機能性など、追加の機能性を提供するための追加の構成要素を含むことができる。
【０１２４】
図３Ｂを参照すると、無線アクセスノード３００Ｂは、１つまたは複数の対応する機能を実行するように構成された少なくとも１つのモジュール３５０を含む。そのような機能の例は、無線アクセスノード（複数可）を参照して本明細書で説明されるように、様々な方法ステップまたは方法ステップの組合せを含む。一般に、モジュールは、対応する機能を実行するように構成されたソフトウェアおよび／またはハードウェアの任意の適切な組合せを含むことができる。例えば、いくつかの実施形態において、モジュールは、図１２Ａに示すような、関連するプラットフォーム上で実行されると、対応する機能を実行するように構成されたソフトウェアを含む。
【０１２５】
図４は、開示された主題の実施形態による仮想化された無線アクセスノード４００を示すブロック図である。図４に関連して説明した概念は、他のタイプのネットワークノードにも同様に適用することができる。さらに、他のタイプのネットワークノードは、同様の仮想化されたアーキテクチャを有することができる。本明細書で使用されるように、「仮想化された無線アクセスノード」という用語は、無線アクセスノードの機能の少なくとも一部が（例えば、ネットワーク内の物理処理ノード上で実行される仮想マシンを介して）仮想コンポーネントとして実装される、無線アクセスノードの実装を指す。
【０１２６】
図４を参照すると、無線アクセスノード４００は、図３Ａに関連して説明したような制御システム３２０を含む。
【０１２７】
制御システム３２０は、ネットワークインタフェース３１５を介してネットワーク４２５に結合されるか、またはネットワーク４２５の一部として含まれる１つまたは複数の処理ノード４２０に接続される。各処理ノード４２０は、１つまたは複数のプロセッサ４０５（たとえば、ＣＰＵ、ＡＳＩＣ、ＦＰＧＡなど）、メモリ４１０、およびネットワークインタフェース４１５を含む。
【０１２８】
この例において、本明細書で説明する無線アクセスノード３００Ａの機能３４５は、１つまたは複数の処理ノード４２０で実施されるか、または制御システム３２０および１つまたは複数の処理ノード４２０にわたって任意の所望の方法で分散される。いくつかの実施形態において、本明細書で説明する無線アクセスノード３００Ａの機能３４５の一部または全部は、処理ノード４２０によってホストされる仮想環境内に実装される１つまたは複数の仮想マシンによって実行される仮想コンポーネントとして実装される。当業者には理解されるように、所望の機能３４５の少なくともいくつかを実行するために、処理ノード４２０と制御システム３２０との間の追加のシグナリングまたは通信が使用される。破線で示されるように、いくつかの実施形態において、制御システム３２０は省略されてもよく、その場合、無線ユニット３２５は、適切なネットワークインタフェースを介して処理ノード４２０と直接通信する。
【０１２９】
いくつかの実施形態において、コンピュータプログラムは、少なくとも１つのプロセッサによって実行されると、少なくとも１つのプロセッサに、本明細書で説明される実施形態のいずれかによる仮想環境において無線アクセスノードの機能の１つまたは複数を実装する無線アクセスノード（例えば、無線アクセスノード１１０または３００Ａ）または別のノード（例えば、処理ノード４２０）の機能を実行させる命令を含む。
【０１３０】
図１５は、無線デバイス（例えば、無線デバイス１０５）の動作の方法１５００を示すフローチャートである。方法１５００は、無線デバイスが、時間ｔ１およびｔ２において、１つまたは複数の同期信号（ＳＳ）またはＳＳブロックの数値ＮＵＭを含む様々なＳＳパラメータを取得し、時間ｔ１およびｔ２において、それぞれ、１つまたは複数のＳＳまたはＳＳブロックの周期Ｔ１、Ｔ２、帯域幅ＢＷ１、ＢＷ２、および帯域幅中心ＢＷＣ１、ＢＷＣ２を取得するステップＳ１５０５を含む。方法ステップＳ１５０５は、上記セクションＢで説明したステップ１、２、３、および４に従って実行することができる。方法１５００は、時間ｔ１およびｔ２において１つまたは複数のＳＳまたはＳＳブロックを送信する無線アクセスノードのアンテナ構成の１つまたは複数の特性Ｃを決定するステップＳ１５１０をさらに含む。ステップＳ１５１０は、上記セクションＢで説明したステップ５の上記説明に従って実行されてもよい。方法１５００は、ＮＵＭ、Ｔ１、Ｔ２、ＢＷ１、ＢＷＣ１、ＢＷ２、ＢＷＣ２、およびＣに基づいて、ｔ１およびｔ２で受信されたＳＳまたはＳＳブロックの測定に関連する時間Ｔｓｓを決定するステップＳ１５１５をさらに含む。ステップＳ１５１５は、上記のセクションＢで説明したステップ６の上記の説明に従って実行することができる。方法１５００、またはその一部は、同期を必要とする別の無線ノードでの実装にも適合され得る。
【０１３１】
方法１５００は、１つまたは複数の動作タスクについて決定された時間Ｔｓｓを使用するオプションのステップＳ１５２０をさらに含むことができる。タスクは、例えば、時間Ｔｓｓの間に測定のために１つ以上のＳＳを受信するように無線デバイスを構成すること、決定された時間Ｔｓｓにわたって受信されたサンプルを測定結果に結合すること、時間Ｔｓｓの間に受信されたセルＩＤを決定すること、時間Ｔｓｓの間に受信された１つ以上のＳＳを決定すること、時間Ｔｓｓの間に同期手順を完了すること、時間Ｔｓｓの間に測定の結果を取得すること、時間Ｔｓｓの間に測定の結果をタイムスタンプすること、時間Ｔｓｓに基づいて１つ以上のＳＳのサンプルのフィルタリングを適応的に実行すること、時間Ｔｓｓの間に無線デバイス内の受信機のＲＦパラメータを変更することを回避または控えること、時間Ｔｓｓの間に１つ以上のＳＳを受信するために受信ビームの同じセットを使用するように受信機を構成すること、時間Ｔｓｓに基づいて適応的にレイヤ１および／またはレイヤ３フィルタリングを構成すること、時間Ｔｓｓに  １つまたは複数のＳＳの測定に応じてＵＬ送信を送信しなければならない時間量であって、１つまたは複数のＳＳの測定の時間に対応する相対的な時間量を、時間Ｔｓｓに基づいて決定すること、時間Ｔｓｓに基づいてＵＬ送信タイミングを取得するのに必要な時間量を決定すること、別のノードへの時間Ｔｓｓをインジケートする（示す）こと、および将来の使用のために時間Ｔｓｓを格納すること、を含む。
【０１３２】
図１６は、ネットワークノード（例えば、無線アクセスノード１１０）の動作の方法１６００を示すフローチャートである。方法１６００は、ネットワークノードが、１つまたは複数のビームフォーミングされていないＳＳおよび１つまたは複数のビームフォーミングされたＳＳを受信するための無線デバイスの能力を特徴付ける能力情報を取得する、オプションのステップＳ１６０２を含む。方法１６００は、第１の期間ｔ１の間に、第１のセルＩＤに基づいて１つまたは複数のビームフォーミングされていないＳＳの少なくとも一部を送信するステップＳ１６０５と、第２の期間ｔ２の間に、第１のセルＩＤに基づいて１つまたは複数のビームフォーミングされたＳＳの少なくとも一部を送信するステップＳ１６１０とをさらに含む。ステップＳ１６０５は、上記のセクションＣで説明したステップ１および２の上記の説明に従って実行することができ、ステップＳ１６１０は、上記のセクションＣのステップ３および４の上記の説明に従って実行することができる。
【０１３３】
方法１６００は、１つまたは複数のビームフォーミングされていないＳＳまたは１つまたは複数のビームフォーミングされたＳＳの、無線デバイスによって行われた測定に関連して使用するネットワークノードのための時間Ｔｓｓを決定するステップＳ１６１５をさらに含み、時間Ｔｓｓはまた、ステップＳ１６０２で取得された能力情報に基づいて決定されてもよい。ステップＳ１６１５は、上記のセクションＣで説明したステップ５の上記の説明に従って実行することができる。
【０１３４】
方法１６００の一実施形態において、期間ｔ１は、ビームフォーミングされていない信号の送信のために事前に定義されたリソースＲ１の第１のセットに対応し、リソースＲ１の第１のセットは、ＩＤＬＥ状態の無線デバイスとの使用のためにさらに事前に定義され得る。
【０１３５】
一実施形態において、期間ｔ１を含むリソースＲ１の第１のセットは、期間ｔ２を含むリソースＲ２の第２のセットとオーバーラップしない。他の実施形態において、期間ｔ１を含む第１リソースセットＲ１は、期間ｔ２を含む第２リソースセットＲ２と少なくとも部分的にオーバーラップし、１つまたは複数のリソースの部分的にオーバーラップしたセットのために使用されるアンテナ構成は、ビームフォーミングされたＳＳを送信するための１つまたは複数のリソースの部分的にオーバーラップしたセットのために使用されるアンテナ構成と同じである。
【０１３６】
方法１６００はまた、無線デバイスによって行われた測定の結果を受信するステップ（図示せず）を含むことができ、時間Ｔｓｓは、結果を受信するための待ち時間を構成するために使用される。
【０１３７】
開示された主題は、様々な実施形態を参照して上記で提示されたが、開示された主題の全体的な範囲から逸脱することなく、形態および詳細における様々な変更が、説明された実施形態になされ得ることが理解されるであろう。例えば、本明細書に記載される方法は、特定の順序で提示される一連のステップを含むが、順序は変更してもよい。さらに、追加のステップが追加されてもよく、または特定のステップがオプションとして省略されてもよい。
【０１３８】
当業者は、本明細書の実施形態が、対応するコンピュータプログラムをさらに含むことも理解するであろう。
【０１３９】
コンピュータプログラムは、無線デバイス１０５（または無線アクセスノード１１０）の少なくとも１つのプロセッサ上で実行されると、無線デバイス１０５（または無線アクセスノード１１０）に上述のそれぞれの処理のいずれかを実行させる命令を含む。この点に関して、コンピュータプログラムは、上述の手段またはユニットに対応する１つまたは複数のコードモジュールを含むことができる。
【０１４０】
他の実施形態において、コンピュータプログラムは、ネットワーク機器の少なくとも１つのプロセッサ上で実行されると、ネットワーク機器に上述のそれぞれの処理のいずれかを実行させる命令を含む。この点に関して、コンピュータプログラムは、上述の手段またはユニットに対応する１つまたは複数のコードモジュールを含むことができる。
【０１４１】
実施形態はさらに、これらのコンピュータプログラムのいずれかを含むキャリアを含む。このキャリアは、電気信号、光信号、無線信号、またはコンピュータ可読記憶媒体のうちの１つを含むことができる。
【０１４２】
この点に関して、本明細書の実施形態は、非一時的なコンピュータ可読（記憶または記録）媒体に格納され、無線デバイス１０５（または無線アクセスノード１１０）のプロセッサによって実行されると、無線デバイス１０５（または無線アクセスノード１１０）に上述のように実行させる命令を含むコンピュータプログラム製品も含む。
【０１４３】
実施形態は、コンピュータプログラム製品がコンピューティング・デバイスによって実行されるときに、本明細書の実施形態のいずれかのステップを実行するためのプログラム・コード部分を含むコンピュータプログラム製品をさらに含む。このコンピュータプログラム製品は、コンピュータ読み取り可能な記録媒体に格納することができる。
【０１４４】
もちろん、本発明は、本発明の本質的な特徴から逸脱することなく、本明細書に具体的に記載された方法以外の方法で実施されてもよい。本実施形態は、すべての点において、例示的であり、限定的ではないとみなされるべきであり、添付の特許請求の範囲の意味および均等の範囲内に入るすべての変更は、その中に包含されることが意図される。
【図１】
0006816295.tif 000003
【図２Ａ】
0006816295.tif 000004
【図２Ｂ】
0006816295.tif 000005
【図３Ａ】
0006816295.tif 000006
【図３Ｂ】
0006816295.tif 000007
【図４】
0006816295.tif 000008
【図５】
0006816295.tif 000009
【図６】
0006816295.tif 000010
【図７】
0006816295.tif 000011
【図８】
0006816295.tif 000012
【図９】
0006816295.tif 000013
【図１０】
0006816295.tif 000014
【図１１】
0006816295.tif 000015
【図１２】
0006816295.tif 000016
【図１３】
0006816295.tif 000017
【図１４】
0006816295.tif 000018
【図１５】
0006816295.tif 000019
【図１６】
0006816295.tif 000020